(57)【要約】【課題】普通機と称されるパチンコ遊技機において、複数の入賞装置への入賞順序の適否を報知する。また、該報知により遊技者にとって有利となる入賞順序の学習を可能にして、遊技者が遊技を行いながら興趣を持って遊技方法を習得できるパチンコ遊技機を提供する。【解決手段】    遊技球の入球しやすい拡開状態と、遊技球の入球しにくい閉鎖状態を備えた入賞装置を複数有するパチンコ遊技機において、複数の進入穴からの遊技球の進入および入賞装置への入賞を検知して、入賞装置の拡開状態と閉鎖状態とを変換する変換機構１と、入賞装置への入賞を検知して、入賞情報を出力する入賞検知手段２と、入賞検知手段２の検知出力に基づき入賞順序の適否に基づく音態様によって報知する報知手段９を備えたパチンコ遊技機。【選択図】図１４
2010125076.tif 000002
【特許請求の範囲】
【請求項１】
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞検知手段の検知出力に基づき入賞順序の適否に基づく音態様によって報知する報知手段を備えた
ことを特徴とするパチンコ遊技機。
【請求項２】
請求項１において、
前記入賞検知手段が、前記複数の入賞装置の中で役割が同一のものの入賞は、１つの検知手段によって検出する
ことを特徴とするパチンコ遊技機。
【請求項３】
請求項１または請求項２において
前記複数の入賞装置が、第２種非電動役物によって構成される
ことを特徴とするパチンコ遊技機。
【請求項４】
請求項１ないし請求項３のいずれかにおいて、
前記入賞装置への入賞順序の適否に応じて前記報知手段によって報知される音態様を任意のタイミング、種類またはおよび順序で設定する報知順序設定手段を備えた
ことを特徴とするパチンコ遊技機。
【請求項５】
請求項１または請求項４において、
前記複数の進入穴への遊技球の進入または前記入賞装置への入賞のタイミングに同期して前記報知順序設定手段が作動する
ことを特徴とするパチンコ遊技機。
【請求項６】
請求項１ないし請求項５のいずれかにおいて
前記入賞装置への入賞により獲得する賞球数が遊技者にとって有利となる順序で入賞した場合には、前記入賞順序の適否に応じて設定された順序の音態様が互いに関連して違和感のない音態様を形成するように構成されている
ことを特徴とするパチンコ遊技機。
【請求項７】
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞装置毎に異なった音態様が設定されており、設定された音態様が前記複数の入賞装置への入賞順序の適否を反映するように構成されている
ことを特徴とするパチンコ遊技機。
【請求項８】
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞装置に入賞する毎に、入賞検知手段により検知された前回の入賞情報と該入賞検知手段により検知された今回の入賞情報とを比較する入賞情報比較手段と、
入賞情報比較手段の比較結果に基づき、前回の入賞情報に対して今回の入賞情報が遊技者にとって有利かどうかで異なった音態様によって報知する報知手段とを備えた
ことを特徴とするパチンコ遊技機。
【請求項９】
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置の開閉状態を検知する開閉状態検知手段と、
入賞装置への入賞を検知して、入賞情報を出力する入賞検知手段と、
入賞装置に入賞する毎に、入賞検知手段により検知された入賞情報および入賞前における開閉状態検知手段により検知された開閉状態に基づいて構成される入賞判定テーブルに従って、遊技者にとって有利な入賞かどうかを判定する判定手段と、
判定手段における判定結果に基づいて有利かどうかで異なった音態様によって報知する報知手段とを備えた
ことを特徴とするパチンコ遊技機。
【請求項１０】
請求項７ないし請求項９のいずれかにおいて
前記入賞装置への入賞により獲得する賞球数が遊技者にとって有利となる順序で入賞した場合には、前記報知手段により報知する音態様が互いに関連して違和感のない音態様を形成するように構成されている
ことを特徴とするパチンコ遊技機。
【請求項１１】
請求項１ないし請求項１０のいずれかにおいて、
前記報知手段が、音の種類が異なる複数の音態様を報知可能である
ことを特徴とするパチンコ遊技機。
【請求項１２】
請求項１ないし請求項１１のいずれかにおいて
前記報知手段が、音量が異なる複数の音態様を報知可能である
ことを特徴とするパチンコ遊技機。
【請求項１３】
請求項１ないし請求項１２のいずれかにおいて
前記報知手段が、音の周波数が異なる複数の音態様を報知可能である
ことを特徴とするパチンコ遊技機。
【発明の詳細な説明】
【技術分野】
【０００１】
本発明は、パチンコ遊技機において、遊技球の入球しやすい拡開状態と、遊技球の入球しにくい閉鎖状態を備えた入賞装置を複数有するパチンコ遊技機において、各入賞装置への入賞または複数の進入穴からの遊技球の進入により前記入賞装置の拡開状態および閉鎖状態が変換されるとともに、入賞順序の適否に基づく音態様によって報知するパチンコ遊技機に関するものである。
【背景技術】
【０００２】
従来より、パチンコ遊技機の構成および機能の複雑化に伴い、パチンコ遊技機の遊技方法については分かりづらいものとなっており、遊技者とりわけ初心の遊技者が安心して遊技を行えるために、どのように遊技方法を説明するのかがホール運営上重要な問題となっている。
【０００３】
特許文献１に記載のパチンコ遊技機は、役物装置に遊技球が入賞した時に効果音を発生するものであった。
【特許文献１】特開２０００−２３３０５１
【０００４】
上述したように、一般に普通機と称されるパチンコ遊技機については、第１入賞装置への入賞を契機として付与される入賞口への入賞に対して、遊技方法を熟知した遊技者と遊技方法を熟知していない遊技者とでは獲得賞球数に差異が生じる可能性が比較的高いものであるため、遊技者の熟練度による有利不利が顕著に現れるものであり、公平性が保たれた遊技環境を提供するために遊技方法の説明が重要課題とされていた。
【発明の開示】
【発明が解決しようとする課題】
【０００５】
しかしながら、上記従来のパチンコ遊技機においては、図２４に示されるように、役物装置に遊技球が入賞した時に、該各役物装置への入賞順序の適否に関係しない予め設定された効果音を出力するものであるため、該各役物装置への入賞順序の適否を遊技者に報知することができないという問題があった。
【０００６】
このためホールは、パチンコ遊技機についての小冊子を設置したり、遊技方法を記載したＰＯＰを別途作成したり、遊技者に対してホール従業員による遊技方法の説明を行なったりと、パチンコ遊技機の遊技方法の説明のために多くの手間と費用が必要とされていた。
【０００７】
そこで本発明者らは、遊技球の入球しやすい拡開状態と、遊技球の入球しにくい閉鎖状態を備えた入賞装置を複数有するパチンコ遊技機において、複数の進入穴からの遊技球の進入および入賞装置への入賞を検知して、入賞装置の拡開状態と閉鎖状態とを変換する変換機構と、入賞装置への入賞を検知して、入賞情報を出力する入賞検知手段と、入賞検知手段の検知出力に基づき入賞順序の適否に基づく音態様によって報知するという本発明の技術的思想に着眼して、さらに研究開発を重ねた結果、遊技者は報知された音態様により前記入賞装置への入賞順序の適否を知ることができるという目的を達成する本発明に到達した。
【課題を解決するための手段】
【０００８】
本発明（請求項１に記載の第１発明）のパチンコ遊技機は、
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞検知手段の検知出力に基づき入賞順序の適否に基づく音態様によって報知する報知手段を備えた
ものである。
【０００９】
本発明（請求項２に記載の第２発明）のパチンコ遊技機は、
前記第１発明において、
前記入賞検知手段が、前記複数の入賞装置の中で役割が同一のものの入賞は、１つの検知手段によって検出する
ものである。
【００１０】
本発明（請求項３に記載の第３発明）のパチンコ遊技機は、
前記第１発明または第２発明において
前記複数の入賞装置が、第２種非電動役物によって構成される
ものである。
【００１１】
本発明（請求項４に記載の第４発明）のパチンコ遊技機は、
前記第１発明ないし第３発明のいずれかにおいて、
前記入賞装置への入賞順序の適否に応じて前記報知手段によって報知される音態様を任意のタイミング、種類またはおよび順序で設定する報知順序設定手段を備えた
ものである。
【００１２】
本発明（請求項５に記載の第５発明）のパチンコ遊技機は、
前記第１発明ないし第４発明において、
前記複数の進入穴への遊技球の進入または前記入賞装置への入賞のタイミングに同期して前記報知順序設定手段が作動する
ものである。
【００１３】
本発明（請求項６に記載の第６発明）のパチンコ遊技機は、
前記第１発明ないし第５発明のいずれかにおいて
前記入賞装置への入賞により獲得する賞球数が遊技者にとって有利となる順序で入賞した場合には、前記入賞順序の適否に応じて設定された順序の音態様が互いに関連して違和感のない音態様を形成するように構成されている
ものである。
【００１４】
本発明（請求項７に記載の第７発明）のパチンコ遊技機は、
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞装置毎に異なった音態様が設定されており、設定された音態様が前記複数の入賞装置への入賞順序の適否を反映するように構成されている
ものである。
【００１５】
本発明（請求項８に記載の第８発明）のパチンコ遊技機は、
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置への入賞を検知して、入賞情報を出力する入賞検知手段と、
入賞装置に入賞する毎に、入賞検知手段により検知された前回の入賞情報と該入賞検知手段により検知された今回の入賞情報とを比較する入賞情報比較手段と、
入賞情報比較手段の比較結果に基づき、前回の入賞情報に対して今回の入賞情報が遊技者にとって有利かどうかで異なった音態様によって報知する報知手段とを備えた
ものである。
【００１６】
本発明（請求項９に記載の第９発明）のパチンコ遊技機は、
遊技球の入球しやすい拡開状態と、遊技球の入球しにくい閉鎖状態を備えた入賞装置を複数有するパチンコ遊技機において、
複数の進入穴からの遊技球の進入および入賞装置への入賞を検知して、入賞装置の拡開状態と閉鎖状態とを変換する変換機構と、
入賞装置の開閉状態を検知する開閉状態検知手段と、
入賞装置への入賞を検知して、入賞情報を出力する入賞検知手段と、
入賞装置に入賞する毎に、入賞検知手段により検知された入賞情報および入賞前における開閉状態検知手段により検知された開閉状態に基づいて構成される入賞判定テーブルに従って、遊技者にとって有利な入賞かどうかを判定する判定手段と、
判定手段における判定結果に基づいて有利かどうかで異なった音態様によって報知する報知手段とを備えた
ものである。
【００１７】
本発明（請求項１０に記載の第１０発明）のパチンコ遊技機は、
前記第７発明ないし第９発明のいずれかにおいて
前記入賞装置への入賞により獲得する賞球数が遊技者にとって有利となる順序で入賞した場合には、前記報知手段により報知する音態様が互いに関連して違和感のない音態様を形成するように構成されている
ものである。
【００１８】
本発明（請求項１１に記載の第１１発明）のパチンコ遊技機は、
請求項１ないし請求項１０のいずれかにおいて、
前記報知手段が、音の種類が異なる複数の音態様を報知可能である
ものである。
【００１９】
本発明（請求項１２に記載の第１２発明）のパチンコ遊技機は、
請求項１ないし請求項１１のいずれかにおいて
前記報知手段が、音量が異なる複数の音態様を報知可能である
ものである。
【００２０】
本発明（請求項１３に記載の第１３発明）のパチンコ遊技機は、
請求項１ないし請求項１２のいずれかにおいて
前記報知手段が、音の周波数が異なる複数の音態様を報知可能である
ものである。
【発明の効果】
【００２１】
本発明（請求項１に記載の第１発明）のパチンコ遊技機は、遊技球の入球しやすい拡開状態と、遊技球の入球しにくい閉鎖状態を備えた入賞装置を複数有するパチンコ遊技機において、前記変換機構が複数の進入穴からの遊技球の進入および入賞装置への入賞を検知して、前記入賞装置の拡開状態と閉鎖状態とを変換するとともに、前記入賞検知手段が入賞装置への入賞を検知して、入賞情報を出力して、前記入賞検知手段の検知出力に基づき、前記報知手段によって入賞順序の適否に基づく音態様によって報知するので、遊技者が報知された音態様により前記入賞装置への入賞順序の適否を知ることができるという効果を奏する。
【００２２】
本発明（請求項２に記載の第２発明）のパチンコ遊技機は、前記第１発明において、前記入賞検知手段が、前記複数の入賞装置の中で役割が同一のものの入賞に対して１つの検知手段によって検出するので、必要となる検知手段の数を削減することによりパチンコ遊技機の製造コストを低減できるという効果を奏する。
【００２３】
本発明（請求項３に記載の第３発明）のパチンコ遊技機は、前記第１発明または第２発明において第２種非電動役物の中で役割が同一のものの入賞に対して１つの検知手段によって検出するので、必要となる検知手段の数を削減することによりパチンコ遊技機の製造コストを低減できるという効果を奏する。
【００２４】
本発明（請求項４に記載の第４発明）のパチンコ遊技機は、前記第１発明ないし第３発明のいずれかにおいて、前記報知順序設定手段が、前記入賞装置への入賞順序の適否に応じて前記報知手段によって報知される音態様を任意のタイミング、種類またはおよび順序で設定するので、前記報知順序設定手段の作動を契機として報知する音態様のタイミング、種類またはおよび順序を変更するため、遊技者に興趣のある遊技を提供することができるという効果を奏する。
【００２５】
本発明（請求項５に記載の第５発明）のパチンコ遊技機は、前記第１発明ないし第４発明において、前記複数の進入穴への遊技球の進入または前記入賞装置への入賞のタイミングに同期して前記報知順序設定手段が作動するので、前記報知手段において報知される音態様の順序の基準を明確にすることができるという効果を奏する。
【００２６】
本発明（請求項６に記載の第６発明）のパチンコ遊技機は、前記第１発明ないし第５発明のいずれかにおいて、前記入賞装置への入賞により獲得する賞球数が遊技者にとって有利となる順序で入賞した場合には、前記入賞順序の適否に応じて設定された順序の音態様が互いに関連して違和感のない音態様を形成するので、遊技者は報知された該音態様によって前記複数の入賞装置での入賞した順序が、遊技者にとって有利となる入賞順序であったかどうかを知ることができるという効果を奏するとともに、報知された該音態様によって前記複数の入賞装置への入賞した順序が、遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得できるという効果を奏する。
【００２７】
本発明（請求項７に記載の第７発明）のパチンコ遊技機は、遊技球の入球しやすい拡開状態と、遊技球の入球しにくい閉鎖状態を備えた入賞装置を複数有するパチンコ遊技機において、前記変換機構が複数の進入穴からの遊技球の進入および入賞装置への入賞を検知して、前記入賞装置の拡開状態と閉鎖状態とを変換するとともに、前記入賞検知手段が入賞装置への入賞を検知して、入賞情報を出力して、前記入賞検知手段の検知出力に基づき、前記報知手段によって入賞装置毎に設定された前記複数の入賞装置への入賞順序の適否を反映する異なった音態様によって報知するので、遊技者が報知された音態様により入賞した入賞装置の適否を知ることができるという効果を奏する。
【００２８】
本発明（請求項８に記載の第８発明）のパチンコ遊技機は、遊技球の入球しやすい拡開状態と、遊技球の入球しにくい閉鎖状態を備えた入賞装置を複数有するパチンコ遊技機において、前記変換機構が複数の進入穴からの遊技球の進入および入賞装置への入賞を検知して、前記入賞装置の拡開状態と閉鎖状態とを変換するとともに、前記入賞検知手段が入賞装置への入賞を検知して、入賞情報を出力して、入賞装置に入賞する毎に、前記入賞情報比較手段によって前記入賞検知手段により検知された前回の入賞情報と前記入賞検知手段により検知された今回の入賞情報とを比較することにより、入賞情報比較手段の比較結果に基づき前記報知手段によって、前回の入賞情報に対して今回の入賞情報が遊技者にとって有利かどうかで異なった音態様によって報知するので、遊技者は報知された音態様により前記入賞装置への入賞が遊技者にとって有利かどうかを知ることができるという効果を奏するとともに、報知された該音態様によって前記入賞装置への入賞が、遊技者にとって有利となる入賞であったかどうかを報知するため、遊技者に対して間接的に遊技者にとって有利となる前記入賞装置への入賞順序の学習を可能にすることができるので、遊技者が遊技を行いながら興趣を持って遊技方法を習得することができるという効果を奏する。
【００２９】
本発明（請求項９に記載の第９発明）のパチンコ遊技機は、遊技球の入球しやすい拡開状態と、遊技球の入球しにくい閉鎖状態を備えた入賞装置を複数有するパチンコ遊技機において、前記変換機構が複数の進入穴からの遊技球の進入および入賞装置への入賞を検知して、前記入賞装置の拡開状態と閉鎖状態とを変換するとともに、前記開閉状態検知手段により入賞装置の開閉状態を検知して、前記入賞検知手段によって入賞装置への入賞を検知して、入賞情報を出力することにより、前記入賞装置に入賞する毎に、前記判定手段において入賞検知手段により検知された入賞情報および入賞前における開閉状態検知手段により検知された開閉状態に基づいて構成される前記入賞判定テーブルに従って、該入賞が遊技者にとって有利な入賞かどうかを判定して、前記報知手段によって前記判定手段における判定結果に基づいた音態様によって報知するので、遊技者は報知された音態様により前記入賞装置への入賞が遊技者にとって有利な入賞であったかどうかを知ることができるという効果を奏するとともに、報知された該音態様によって前記入賞装置への入賞が、遊技者にとって有利となる入賞であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【００３０】
本発明（請求項１０に記載の第１０発明）のパチンコ遊技機は、前記第７発明ないし第９発明のいずれかにおいて、前記入賞装置への入賞により獲得する賞球数が遊技者にとって有利となる順序で入賞した場合には、前記報知手段により報知する音態様が互いに関連して違和感のない音態様を形成するので、遊技者は報知された該音態様により前記複数の入賞装置への入賞順序が、遊技者にとって有利であったかどうかを知ることができるという効果を奏する。また、報知された該音態様によって前記複数の入賞装置への入賞した順序が、遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を取得することができるという効果を奏する。
【００３１】
本発明（請求項１１に記載の第１１発明）のパチンコ遊技機は、前記第１発明ないし第１０発明のいずれかにおいて、前記入賞装置への入賞順序の適否に基づき音の種類が異なる複数の音態様によって報知するので、遊技者が報知された音態様により興趣をもって前記入賞装置への入賞順序の適否を知ることができるという効果を奏する。
【００３２】
本発明（請求項１２に記載の第１２発明）のパチンコ遊技機は、前記第１発明ないし第１１発明のいずれかにおいて、前記入賞装置への入賞順序の適否に基づき音量が異なる複数の音態様によって報知するので、遊技者が報知された音態様により興趣をもって前記入賞装置への入賞順序の適否を知ることができるという効果を奏する。
【００３３】
本発明（請求項１３に記載の第１３発明）のパチンコ遊技機は、前記第１発明ないし第１２発明のいずれかにおいて、前記入賞装置への入賞順序の適否に基づき音の周波数が異なる複数の音態様によって報知するので、遊技者が報知された音態様により興趣をもって前記入賞装置への入賞順序の適否を知ることができるという効果を奏する。
【発明を実施するための最良の形態】
【００３４】
以下本発明の最良の実施の形態につき実施例に基づき、図面を用いて説明する。
【実施例１】
【００３５】
本第１実施例のパチンコ遊技機は前記第７発明および第１０発明の実施例であり、図１２に示されるように第２種非電動役物１２ないし１５の左誘導部材および右誘導部材に誘導されて入賞した遊技球を検知する入賞検知スイッチ２９および２５毎に異なった音態様が設定されていて、設定された音態様が前記第２種非電動役物１２ないし１５への入賞順序の適否を反映するように構成した点を特徴とする。
【００３６】
また、第２種非電動役物１２ないし１４の前記左誘導部材および右誘導部材に誘導されて入賞した遊技球を遊技盤１００の後方に形成された遊技球導出路において同一経路を通過するように構成して、該同一経路に前記入賞検知スイッチ２９を配設することにより、パチンコ遊技機製造に必要となる入賞検知スイッチの数を減らした点に特徴がある。
【００３７】
第１実施例のパチンコ遊技機は、図１ないし図１２に示されるように、遊技球の入球しやすい拡開状態と、遊技球の入球しにくい閉鎖状態を備えた入賞装置を複数有するパチンコ遊技機において、複数の進入穴からの遊技球の進入および入賞装置への入賞を検知して、入賞装置の拡開状態と閉鎖状態とを変換する変換機構１と、入賞装置への入賞を検知して、入賞情報を出力する入賞検知手段２と、入賞検知手段の検知出力に基づき入賞順序の適否に基づく音態様によって報知する報知手段９を備えるものである。
【００３８】
第１実施例のパチンコ遊技機は、図１ないし図１２に示されるように遊技盤１００に、遊技球が入球しやすい拡開状態と、遊技球が入球しにくい閉鎖状態を備えた第１種非電動役物１０および１１と、遊技球が入球しやすい拡開状態と、遊技球が入球しにくい閉鎖状態を備えた第２種非電動役物１２ないし１５が配設されている。
【００３９】
前記変換機構１は、遊技球の進入を検知して、前記第１種非電動役物および第２種非電動役物の誘導状態を変換する変換機構１０Ｔないし１５Ｔによって構成される。
【００４０】
前記入賞検知手段２は、各入賞装置への入賞を検知して入賞情報を出力する入賞検知スイッチ２０、２１、２５、２６、２７および２９によって構成される。
【００４１】
前記報知手段９は、前記入賞検知スイッチ２０、２１、２５、２６、２７および２９より出力された入賞情報に基づいて音態様を出力するスピーカ９９によって構成される。
【００４２】
第１実施例のパチンコ遊技機は、前記入賞検知スイッチ２０、２１、２５、２６、２７および２９より出力された入賞情報に基づいて同一または異なった音態様（すなわち音の発生態様）で報知する前記スピーカ９９と、遊技球の進入によって前記第２種非電動役物１２ないし１５の一部を拡開状態へと変換する左ゲート３０、中ゲート３１および右ゲート３２と、前記第２種非電動役物１３の上入賞口への入賞を支持する下ゲート３３と、遊技盤１００の後方に形成された遊技球導出路を備えている。
【００４３】
前記第１種非電動役物１０は、図４または図５に示されるように略扇形状に形成され対向して揺動可能に配設された左誘導部材４０および右誘導部材４１と、変換機構１０Ｔにより構成されている。
【００４４】
前記変換機構１０Ｔは、前記左誘導部材４０および右誘導部材４１の閉鎖状態においては前記左誘導部材４０および右誘導部材４１の下端部に当接支持することにより前記左誘導部材４０および右誘導部材４１を閉鎖状態に維持させるロック部材４２と、前記ロック部材４２と一体的に形成され上入賞口より入賞した遊技球を遊技盤１００の後方に形成された遊技球導出路に誘導する第１のガイド部材４３と、前記ロック部材４２および第１のガイド部材４３と対向して平行に形成され、前記左誘導部材４０および右誘導部材４１の拡開状態において、前記左誘導部材４０および右誘導部材４１に誘導されて入賞した遊技球を遊技盤１００の後方に形成された遊技球導出路に誘導する第２のガイド部材４５と、前記第１のガイド部材４３の略中心位置に介挿され前記ロック部材４２と、第１のガイド部材４３、および第２のガイド部材４５の揺動動作を支持する略円柱状の支持部材４４により構成されている。
【００４５】
なお、前記左誘導部材４０および右誘導部材４１は、図４（ａ）に示されるようにその閉鎖状態において、前記第１種非電動役物１０の上入賞口より入賞した遊技球は前記第１のガイド部材４３上に落下して、図４（ｂ）に示されるように前記第１のガイド部材４３が前記支持部材４４を支点として図４中時計方向に揺動動作するため、前記第１のガイド部材４３と一体的に形成された前記ロック部材４２と前記左誘導部材４０および右誘導部材４１との間に介挿された当接状態が解除されることにより、前記左誘導部材４０および右誘導部材４１が自重により拡開状態に変換される。
【００４６】
なお、図５（ａ）に示されるように前記左誘導部材４０および右誘導部材４１の拡開状態において、前記左誘導部材４０および右誘導部材４１に誘導されて入賞した遊技球は前記第２のガイド部材４５上に落下して、図５（ｂ）に示されるように前記第２のガイド部材４５が前記支持部材４４を支点として図５中時計方向に揺動動作するため、前記第１のガイド部材４３と一体的に形成された前記ロック部材４２が前記左誘導部材４０および右誘導部材４１との間に介挿されて当接状態となることにより、前記左誘導部材４０および右誘導部材４１が閉鎖状態に変換される。
【００４７】
なお、以下の説明では図４および図５に示されるように遊技球の進入により左誘導部材および右誘導部材を閉鎖状態から拡開状態へと変換する変換機構における範囲を拡開落下点ＯＰとして表すとともに、左誘導部材および右誘導部材を拡開状態から閉鎖状態へと変換する変換機構における範囲を閉鎖落下点ＣＬとして表す。
【００４８】
前記第１種非電動役物１１および変換機構１１Ｔは前記第１種非電動役物１０および変換機構１０Ｔと同様の構成であるため説明を省略する。
【００４９】
前記第２種非電動役物１２は、図６ないし図９に示されるように略扇形状に形成された左誘導部材５０および右誘導部材５１と、変換機構１２Ｔにより構成されている。
【００５０】
前記変換機構１２Ｔは、前記左誘導部材５０および右誘導部材５１の閉鎖状態においては前記左誘導部材５０および右誘導部材５１の下端部に当接支持することにより前記左誘導部材５０および右誘導部材５１を閉鎖状態に維持させるロック部材５２と、前記ロック部材５２と一体的に形成され上入賞口より入賞して拡開落下点ＯＰに落下した遊技球を遊技盤１００の後方に形成された遊技球導出路に誘導する第１のガイド部材５３と、前記ロック部材５２および第１のガイド部材５３と対向して平行に形成され、前記左誘導部材５０および右誘導部材５１の拡開状態において、前記左誘導部材５０および右誘導部材５１に誘導されて入賞した遊技球を遊技盤１００の後方に形成された遊技球導出路に誘導する第２のガイド部材５５と、前記第１のガイド部材５３の略中心位置に介挿され前記ロック部材５２、第１のガイド部材５３、および第２のガイド部材５５の揺動動作を支持する略円柱状の支持部材５４と、前記第１のガイド部材５３の図中後方右端に穿設され後述する第２の左アーム５８の揺動動作を連絡する円柱状の連絡棒５６と、前記左ゲート３０および中ゲート３１を通過した遊技球の自重により押圧されて揺動し、一方の先端に前記第２の左アーム５８の歯部と噛み合う歯部を有する略くの字状の第１の左アーム５７と、一方の先端に前記第１の左アーム５７の歯部と噛み合う歯部を有するとともに他方の先端において図９に示されるように前記連絡棒５６と当接する突出部５９を備え、前記第１の左アーム５７が図中時計方向に揺動する場合には互いに噛み合う歯部において連絡して図中反時計方向に揺動する略Ｙの字状の第２の左アーム５８により構成されている。
【００５１】
なお、前記第２の左アーム５８が、図８（Ｂ）に示されるように遊技球の落下による前記第１の左アーム５７の時計方向の揺動に応じて中反時計方向に揺動することにより前記連絡棒５６が前記突出部５９によって図８（Ｂ）中下方に揺動されるので、図７に示されるように前記第１のガイド部材５３が前記支持部材５４を支点として図７中反時計方向に揺動するため、前記左誘導部材５０および右誘導部材５１の下部に介挿されている前記ロック部材５２のロック機構としての状態が解除され、前記左誘導部材５０および右誘導部材５１が拡開状態となる。
【００５２】
なお、上述したように図８（Ｂ）に示される前記左誘導部材５０および右誘導部材５１の拡開状態において、前記左誘導部材５０および右誘導部材５１に誘導されて入賞した遊技球は前記第２のガイド部材５５の閉鎖落下点ＣＬに落下して、前記第２のガイド部材５５が前記支持部材５４を支点として揺動動作するため前記第１のガイド部材５３と一体的に形成された前記ロック部材５２が前記左誘導部材５０および右誘導部材５１の下部に介挿され当接状態となることにより、前記左誘導部材５０および右誘導部材５１が閉鎖状態に変換される。
【００５３】
第２種非電動役物１４および変換機構１４Ｔは前記第２種非電動役物１２および変換機構１２Ｔと左右対称に構成されており、基本構成が同様であるため説明および図示を省略する。すなわち、第２種非電動役物１４は上入賞口より入賞した場合に加え、前記中ゲート３１および右ゲート３２を遊技球が通過した場合に、該入賞した遊技球または通過した遊技球が前記第２種非電動役物１４における拡開落下点ＯＰに落下することにより拡開状態となるように構成されている。
【００５４】
なお、上記した前記変換機構１２Ｔにおいて図８（Ｂ）を用いた説明と同様に、前記第２種非電動役物１４は、左誘導部材および右誘導部材の拡開状態において、左誘導部材および右誘導部材に誘導されて入賞した遊技球は前記第２のガイド部材の閉鎖落下点ＣＬに落下して、第２のガイド部材が支持部材を支点として揺動動作するため記第１のガイド部材と一体的に形成されたロック部材が左誘導部材および右誘導部材の下部に介挿され当接状態となることにより、左誘導部材および右誘導部材が閉鎖状態に変換される。
【００５５】
第２種非電動役物１３は前記第１種非電動役物１０と基本構成が同様であるため、相違点を中心に説明する。
前記第２種非電動役物１３の変換機構１３Ｔの動作原理は、図１０に示されるように前記下ゲート３３に支持されるか、または直接上入賞口へ入賞した遊技球が拡開落下点ＯＰに落下することにより拡開状態に変換されるとともに、前記左ゲート３０、中ゲート３１および右ゲート３２に進入した遊技球が拡開落下点ＯＰに落下することにより拡開状態に変換されるものである。
【００５６】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。
【００５７】
第２種非電動役物１５は前記第１種非電動役物１０と基本構成が同様であるため、相違点を中心に説明する。
前記第２種非電動役物１５の変換機構１５Ｔの動作原理は、前記第２種非電動役物１２、１３および１４の左誘導部材および右誘導部材に誘導されて入賞した遊技球が、図３に示されるように前記遊技盤１００の後方に形成された遊技球導出路を通って、前記第２種非電動役物１５の拡開落下点ＯＰに落下することにより拡開状態に変換されるものである。
【００５８】
なお、上述したように左誘導部材および右誘導部材の拡開状態において、左誘導部材および右誘導部材に誘導されて入賞した遊技球は第２のガイド部材の閉鎖落下点ＣＬに落下して、第２のガイド部材が支持部材を支点として揺動動作するため記第１のガイド部材と一体的に形成されたロック部材が左誘導部材および右誘導部材と当接状態となることにより、左誘導部材および右誘導部材が閉鎖状態に変換される。
【００５９】
本第１実施例のパチンコ遊技機の制御システムの概要は図１１に示されるように、メイン制御基板８０に信号を出力する入賞検知手段２を構成する入賞検知スイッチ２０、２１、２５、２６、２７および２９と、メインＣＰＵ８１、メインＲＯＭ８２およびメインＲＡＭ８３を格納した前記メイン制御基板８０と、前記メイン制御基板８０からの信号を入力して前記スピーカ９９に対して出力指令を出力する音声制御基板８４と、前記メイン制御基板８０からの信号を入力して賞球払出指令を出力する払出制御基板８５によって構成される。
【００６０】
以下において、本第１実施例における前記スピーカ９９によって報知される音態様（音の発生態様）の決定制御を説明する。
【００６１】
本第１実施例のパチンコ遊技機における前記第１種非電動役物１０および１１へ遊技球が入賞すると図１２に示されるように前記入賞検知スイッチ２０および２１に対応して設定された音態様（サ）が前記スピーカ９９によって報知される。同様に、入賞口１６および１７へ遊技球が入賞すると前記入賞検知スイッチ２６および２７に対応して設定された音態様（タ）が前記スピーカ９９によって報知される。
【００６２】
また、第２種非電動役物１２ないし１４の前記左誘導部材および右誘導部材に誘導されて遊技球が入賞すると図１２に示されるように前記入賞検知スイッチ２９に対応して設定された音態様（ア）が前記スピーカ９９によって報知される。同様に、第２種非電動役物１５の前記左誘導部材および右誘導部材に誘導されて遊技球が入賞すると前記入賞検知スイッチ２５に対応して設定された音態様（イ）が前記スピーカ９９によって報知される。
【００６３】
すなわち、本第１実施例のパチンコ遊技機は上述したように遊技者にとって有利となる順序で前記第２種非電動役物１２ないし１５の前記左誘導部材および右誘導部材に誘導されて遊技球が入賞すると「音態様（ア）→音態様（イ）→音態様（ア）→…」のように音態様（ア）と音態様（イ）が交互に報知されて違和感のない音態様の順序を形成するように音態様が設定されているものである。逆に遊技者にとって有利でない順序で前記第２種非電動役物１２ないし１５の前記左誘導部材および右誘導部材に誘導されて遊技球が入賞すると「音態様（ア）→音態様（ア）→音態様（イ）→…」のように音態様（ア）が続けて報知されてちぐはぐな音態様の順序を形成するように音態様が設定されているものである。
【００６４】
なお、本第１実施例のパチンコ遊技機では一例として音態様（ア）については例えば「ケロケロケロケロ」という効果音、音態様（イ）については例えば「クワックワックワ」という効果音に夫々設定することにより、「音態様（ア）→音態様（イ）→音態様（ア）→…」のように音態様（ア）と音態様（イ）が交互に報知された場合には違和感のない音態様の順序となるようにして意味を有するようにして、「音態様（ア）→音態様（ア）→音態様（イ）→…」のように音態様（ア）が続けて報知された場合には連続する音態様がちぐはぐな発生順序となるものである。
【００６５】
以下、上記構成および作用の本第１実施例のパチンコ遊技機の効果について説明する。
【００６６】
本第１実施例のパチンコ遊技機は、前記入賞検知スイッチ２０、２１、２５、２６、２７および２９が入賞装置への入賞を検知するとともに入賞情報を出力して、前記入賞検知スイッチ２０、２１、２５、２６、２７および２９毎に同一または異なった音態様が設定されていて、前記スピーカ９９によって報知される設定された音態様が前記第２種非電動役物１２ないし１５への入賞順序の適否を反映するように構成されているので、遊技者が報知された連続する音態様の順序により入賞した入賞装置の適否を知ることができるという効果を奏する。
【００６７】
本第１実施例のパチンコ遊技機は、前記第２種非電動役物１２ないし１５への入賞により獲得する賞球数が遊技者にとって有利となる順序で入賞した場合には、報知された音態様が互いに関連して違和感のない音態様を形成するので、遊技者は報知された該音態様によって前記第２種非電動役物１２ないし１５への入賞した順序が遊技者にとって有利となる入賞順序であったかどうかを知ることができるという効果を奏する。
【００６８】
本第１実施例のパチンコ遊技機は、報知された該音態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【００６９】
本第１実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、前記複数の入賞装置の中で役割が同一のものの入賞を１つの検知手段によって検出したので、必要となる検知手段の数を削減することによりパチンコ遊技機の製造コストを低減することができるという効果を奏する。
【実施例２】
【００７０】
本第２実施例のパチンコ遊技機は前記第１発明および第４発明ないし第６発明の実施例であり、図１３に示されるように入賞検知スイッチ２０ないし２７より出力された入賞情報および後述する検知順序に基づいて前記スピーカ９９によって報知する音態様を選択する音態様割振手段８６を備えたことを特徴とするもので、以下相違点を中心に説明する。
【００７１】
なお前記音態様割振手段８６は、図１４に示されるように遊技者にとって有利となる順序で遊技球が第２種非電動役物１２ないし１５の前記左誘導部材および右誘導部材に誘導されて入賞した場合に、選択される音態様が互いに関連して違和感のない音態様を形成するように構成されているものである。
【００７２】
第２実施例のパチンコ遊技機は、図１、図２、図４ないし図１０および図１３ないし図１５に示されるように遊技盤１００に、遊技球が入球しやすい拡開状態と、遊技球が入球しにくい閉鎖状態を備えた第１種非電動役物１０および１１と、遊技球が入球しやすい拡開状態と、遊技球が入球しにくい閉鎖状態を備えた第２種非電動役物１２、１３、１４および１５が配設されている。
【００７３】
前記入賞検知手段２は、各入賞装置への入賞を検知して夫々の入賞情報を出力する入賞検知スイッチ２０ないし２７によって構成される。
【００７４】
前記報知手段９は、前記入賞検知スイッチ２０ないし２７より出力された入賞情報に基づいて設定された順序で音態様を出力するスピーカ９９によって構成される。
【００７５】
第２実施例のパチンコ遊技機は、前記入賞検知スイッチ２０ないし２７より出力された入賞情報および検知順序に基づいて前記スピーカ９９によって報知する音態様（音の発生態様）を選択する音態様割振手段８６と、遊技球の進入によって前記音態様割振手段８６における検知順序をリセットする左ゲート３０、中ゲート３１および右ゲート３２と、該左ゲート３０、中ゲート３１または右ゲート３２に遊技球が進入したことを検知するゲート進入検知スイッチ２８を備えている。
【００７６】
以下において、本第２実施例における前記スピーカ９９によって報知される音態様の決定制御を説明する。
【００７７】
本第２実施例のパチンコ遊技機における前記音態様割振手段８６は図１４に示されるように、第１種非電動役物１０および１１における入賞を検知する入賞検知スイッチ２０および２１に対しては検知順序によらず音態様（サ）として表される同一の音態様が選択され、入賞口１６および１７における入賞を検知する入賞検知スイッチ２６および２７に対しては検知順序によらず音態様（タ）として表される同一の音態様が選択される。
【００７８】
一方、第２種非電動役物１２ないし１５における入賞を検知する入賞検知スイッチ２２ないし２５に対しては、図１４に示されるように検知順序に応じた音態様（ア）ないし音態様（コ）、音態様（ア）´ないし音態様（コ）´および音態様（ア）´´ないし音態様（コ）´´が選択されるように構成されている。
なお、図１４に示される前記音態様割振手段８６における検知順序は前記左ゲート３０、中ゲート３１または右ゲート３２に遊技球が進入したことを前記ゲート進入検知スイッチ２８において検知した時にリセットされ、前記第２種非電動役物１２ないし１５の左誘導部材および右誘導部材に誘導されて入賞した遊技球を前記入賞検知スイッチ２２ないし２５において検知した時に次の検知順序へと移行する。
【００７９】
最初に、遊技球の打ち出しが開始される。この時点における前記音態様割振手段８６の検知順序は「１」となる。
【００８０】
ここで遊技球が前記第１種非電動役物１０に入賞すると、図１４に示される前記音態様割振手段８６の入賞検知スイッチ２０・検知順序「１」の項目が参照され前記スピーカ９９において音態様（サ）が報知される。同様に、遊技球が前記第１種非電動役物１１に入賞すると、前記音態様割振手段８６の入賞検知スイッチ２１・検知順序「１」の項目が参照され前記スピーカ９９において音態様（サ）が報知される。
【００８１】
また、遊技球が前記入賞口１６に入賞すると、前記音態様割振手段８６の入賞検知スイッチ２６・検知順序「１」の項目が参照され前記スピーカ９９において音態様（タ）が報知され、遊技球が前記入賞口１７に入賞すると、前記音態様割振手段８６の入賞検知スイッチ２７・検知順序「１」の項目が参照され前記スピーカ９９において音態様（タ）が報知される。
【００８２】
次に、遊技球が前記左ゲート３０に進入すると、前記変換機構１２Ｔおよび１３Ｔが作動して前記第２種非電動役物１２および第２種非電動役物１３が拡開状態となる。以下においては、この状態を「状態１」として説明する。
【００８３】
「状態１」において、前記第２種非電動役物１２の上入賞口より遊技球が入賞すると、本第１実施例のパチンコ遊技機は前記第２種非電動役物１２の上入賞口より入賞した遊技球を検知する入賞検知スイッチを備えていないため、当然として該入賞情報は前記音態様割振手段８６へ出力されないので前記スピーカ９９によって音態様は報知されない。
【００８４】
一方「状態１」において、第２種非電動役物１２の前記左誘導部材５０および右誘導部材５１に誘導されて遊技球が入賞すると、図１４に示される前記音態様割振手段８６の入賞検知スイッチ２２・検知順序「１」の項目が参照され前記スピーカ９９において音態様（ア）´´が報知される。また、前記第２種非電動役物１２は拡開状態から閉鎖状態へと変換されるとともに前記第２種非電動役物１５は閉鎖状態から拡開状態へと変換され、前記音態様割振手段８６の検知順序は「１」から「２」へと移行される。
【００８５】
上述したように前記左ゲート３０に遊技球が進入した後、前記第２種非電動役物１２の前記左誘導部材５０および右誘導部材５１に誘導されて遊技球が入賞すると、前記第２種非電動役物１３および１５は拡開状態にあり、前記音態様割振手段８６の検知順序は「２」である。以下においては、この状態を「状態２」として説明する。
【００８６】
「状態２」において前記第２種非電動役物１３の上入賞口より遊技球が入賞すると、本第１実施例のパチンコ遊技機は前記第２種非電動役物１３の上入賞口より入賞した遊技球を検知する入賞検知スイッチを備えていないため、当然として該入賞情報は前記音態様割振手段８６へ出力されないので前記スピーカ９９によって音態様は報知されない。
【００８７】
また「状態２」において、第２種非電動役物１３の前記左誘導部材および右誘導部材に誘導されて遊技球が入賞すると、図１４に示される前記音態様割振手段８６の入賞検知スイッチ２３・検知順序「２」の項目が参照され前記スピーカ９９において音態様（ウ）´が報知される。また、前記第２種非電動役物１３は拡開状態から閉鎖状態へと変換されるとともに前記第２種非電動役物１５は拡開状態を維持し、前記音態様割振手段８６の検知順序は「２」から「３」へと移行される。
【００８８】
一方「状態２」において、第２種非電動役物１５の前記左誘導部材および右誘導部材に誘導されて遊技球が入賞すると、図１４に示される前記音態様割振手段８６の入賞検知スイッチ２５・検知順序「２」の項目が参照され前記スピーカ９９において音態様（イ）が報知される。また、前記第２種非電動役物１５は拡開状態から閉鎖状態へと変換されるとともに、前記音態様割振手段８６の検知順序は「２」から「３」へと移行される。
【００８９】
すなわち、「状態２」において遊技者にとって有利な入賞となる前記第２種非電動役物１５の前記左誘導部材および右誘導部材に誘導されて遊技球が入賞すると、音態様（イ）が報知され「状態１」において報知された音態様（ア）´´と連続性を有した音態様として遊技者に報知される。一方、「状態２」において遊技者にとって不利な入賞となる前記第２種非電動役物１３の前記左誘導部材および右誘導部材に誘導されて遊技球が入賞すると、音態様（ウ）´が報知され「状態１」において報知された音態様（ア）´´と連続性の無い音態様として遊技者に報知される。なお一例として、音態様（ア）ないし音態様（ケ）、音態様（ア）´ないし音態様（ケ）´および音態様（ア）´´ないし音態様（ケ）´´で報知される音情報は、時代劇「水戸黄門」において使用されたメロディーを９等分したものを音態様（ア）から音態様（ケ）に対して順に並べたものと、時代劇「水戸黄門」において使用されたメロディーを９等分してリズムをやや速めたものを音態様（ア）´から音態様（ケ）´に対して順に並べたものと、および時代劇「水戸黄門」において使用されたメロディーを９等分してリズムをやや遅めたものを音態様（ア）´´から音態様（ケ）´´に対して順に並べたものとする。なお、音態様に付帯する「´」または「´´」は、音態様の調子または雰囲気にわずかな変化を加えるものではあるが、音態様の基本に変更を加えるものでは無く音の発生態様の連続性に大きな影響を与えるものではないのである。
【００９０】
すなわち、図１４に示される前記音態様割振手段８６における音態様については「音態様（ア）´→音態様（イ）→音態様（ウ）´´→…」のように「´」または「´´」を考慮せず五十音順に音態様が報知された場合には連続性を有して違和感のない音態様を形成して、「音態様（ア）´´→音態様（ウ）→音態様（ウ）´→…」のように「´」または「´´」を考慮せず五十音順に音態様が報知されない場合には連続性の無いちぐはぐな順序の音の発生態様として遊技者に報知されるものである。
【００９１】
上述したように前記左ゲート３０に遊技球が進入した後、前記第２種非電動役物１２の前記左誘導部材５０および右誘導部材５１に誘導されて遊技球が入賞して、その後前記第２種非電動役物１５の前記左誘導部材および右誘導部材に誘導されて遊技球が入賞すると、前記第２種非電動役物１３は拡開状態にあり、前記音態様割振手段８６の検知順序は「３」である。以下においては、この状態を「状態３」として説明する。
【００９２】
「状態３」において第２種非電動役物１３の前記左誘導部材および右誘導部材に誘導されて遊技球が入賞すると、図１４に示される前記音態様割振手段８６の入賞検知スイッチ２３・検知順序「３」の項目が参照され前記スピーカ９９において音態様（ウ）´が報知される。また、前記第２種非電動役物１３は拡開状態から閉鎖状態へと変換されるとともに前記第２種非電動役物１５は閉鎖状態から拡開状態へと変換され、前記音態様割振手段８６の検知順序は「３」から「４」へと移行される。
【００９３】
上述したように前記左ゲート３０に遊技球が進入した後、前記第２種非電動役物１２の前記左誘導部材５０および右誘導部材５１に誘導されて遊技球が入賞して、その後前記第２種非電動役物１５の前記左誘導部材および右誘導部材に誘導されて遊技球が入賞して、さらに前記第２種非電動役物１３の前記左誘導部材および右誘導部材に誘導されて遊技球が入賞すると、前記第２種非電動役物１５は拡開状態にあり、前記音態様割振手段８６の検知順序は「４」である。以下においては、この状態を「状態４」として説明する。
【００９４】
「状態４」において第２種非電動役物１５の前記左誘導部材および右誘導部材に誘導されて遊技球が入賞すると、図１４に示される前記音態様割振手段８６の入賞検知スイッチ２５・検知順序「４」の項目が参照され前記スピーカ９９において音態様（エ）が報知される。また、前記第２種非電動役物１５は拡開状態から閉鎖状態へと変換され、前記音態様割振手段８６の検知順序は「４」から「５」へと移行される。
【００９５】
ここで前記第２種非電動役物１４の上入賞口より遊技球が入賞すると、前記第２種非電動役物１４は閉鎖状態から拡開状態へと変換される。なお、前記音態様割振手段８６の検知順序は「５」を維持する。以下においては、この状態を「状態５」として説明する。
【００９６】
次に「状態５」において、第２種非電動役物１４の前記左誘導部材および右誘導部材に誘導されて遊技球が入賞すると、図１４に示される前記音態様割振手段８６の入賞検知スイッチ２４・検知順序「５」の項目が参照され前記スピーカ９９において音態様（オ）が報知される。また、前記第２種非電動役物１４は拡開状態から閉鎖状態へと変換されるとともに前記第２種非電動役物１５は閉鎖状態から拡開状態へと変換され、前記音態様割振手段８６の検知順序は「５」から「６」へと移行される。以下においては、この状態を「状態６」として説明する。
【００９７】
「状態６」において第２種非電動役物１５の前記左誘導部材および右誘導部材に誘導されて遊技球が入賞すると、図１４に示される前記音態様割振手段８６の入賞検知スイッチ２５・検知順序「６」の項目が参照され前記スピーカ９９において音態様（カ）が報知される。また、前記第２種非電動役物１５は拡開状態から閉鎖状態へと変換され、前記音態様割振手段８６の検知順序は「６」から「７」へと移行される。以下においては、この状態を「状態７」として説明する。
【００９８】
このように前記左ゲート３０、中ゲート３１または右ゲート３２に遊技球が進入した後の、前記第２種非電動役物１２ないし１５への入賞の一連の流れにおいて、前記第２種非電動役物１２ないし１４のいずれかの上入賞口より遊技球が入賞すると、該上入賞口より入賞した第２種非電動役物１２ないし１４のいずれかへの前記左誘導部材および右誘導部材に誘導されての入賞と、これに伴う第２種非電動役物１５の前記左誘導部材および右誘導部材に誘導されての入賞の２回分の入賞権利が発生し、結果として前記音態様割振手段８６における検知順序も２回移行することになる。
【００９９】
このため、前記音態様割振手段８６による音態様の割振については、前記第２種非電動役物１２ないし１４のいずれかの上入賞口より遊技球が入賞するたびに連続性を持った音態様が２つ追加されることが望ましいが、本第１実施例のパチンコ遊技機においては、前記音態様割振手段８６の入賞順序が「１０」以上の場合に前記第２種非電動役物１２ないし１５への前記左誘導部材および右誘導部材に誘導されて遊技球が入賞した場合の音態様は一律音態様（コ）に統一されている。なお、本第１実施例における音態様（コ）は一例として「やったね」という心地良い音声、時代劇「水戸黄門」において使用された「カッカッカッ」という言葉、または「ピロン」という心地良い効果音等に設定し、連続して報知されることにより遊技者に興趣を与えることのできる音態様に設定する。
【０１００】
次に、「状態７」において、前記左ゲート３０、中ゲート３１または右ゲート３２に遊技球が進入すると、前記音態様割振手段８６の検知順序が「７」から「１」へとリセットされる。
【０１０１】
以下、上記構成より成る本第２実施例のパチンコ遊技機の作用・効果について説明する。
【０１０２】
上記作用を奏する第２実施例のパチンコ遊技機は、前記入賞検知スイッチ２０ないし２７が入賞装置への入賞を検知するとともに入賞情報を出力して、前記入賞検知スイッチ２０ないし２７の検知出力に基づき前記音態様割振手段８６において、入賞順序の適否に応じて設定された順序の音態様を選択するとともに前記スピーカ９９によって報知するので、遊技者が報知された音態様により前記入賞装置への入賞順序の適否を知ることができるという効果を奏する。
【０１０３】
上記作用を奏する第２実施例のパチンコ遊技機は、前記ゲート進入検知スイッチ２８において遊技球の進入を検知した時に、前記スピーカ９９によって報知される音態様を決定する前記音態様割振手段８６の検知順序をリセットするので、前記ゲート進入検知スイッチ２８における遊技球の検知を契機として報知する音態様の順序を変更することにより、遊技者に興趣のある遊技を提供できるという効果を奏する。
【０１０４】
上記作用を奏する第２実施例のパチンコ遊技機は、前記左ゲート３０、中ゲート３１および前記右ゲート３２への遊技球の進入によって、前記ゲート進入検知スイッチ２８において検知出力が出されるので、前記報知手段において報知される音態様の順序の基準を明確にするという効果を奏する。
【０１０５】
上記作用を奏する第２実施例のパチンコ遊技機は、前記第２種非電動役物１２ないし１５への入賞により獲得する賞球数が遊技者にとって有利となる順序で入賞した場合には、前記音態様割振手段８６により入賞順序の適否に応じて設定された順序の音態様が互いに関連して違和感のない音態様の連続を形成するので、遊技者は報知された該音態様によって前記第２種非電動役物１２ないし１５への入賞した順序が遊技者にとって有利となる入賞順序であったかどうかを知ることができるという効果を奏する。
【０１０６】
上記作用を奏する第２実施例のパチンコ遊技機は、報知された該音態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得できるという効果を奏する。
【実施例３】
【０１０７】
本第３実施例のパチンコ遊技機は前記第１発明、第４発明ないし第６発明、第１２発明および第１３発明の実施例であり、図１６に示されるように、音態様割振手段８６２において検知順序に応じた音態様の割振パターンを３種類備え、音態様割振手段８６２における検知順序「１」において入賞した前記第２種非電動役物１２ないし１４のいずれかに応じて３種類の割振パターンを決定して、音態様割振手段８６２における検知順序「２」以降の報知する音態様を選択する構成とすることにより、前記第２種非電動役物１２ないし１４のいずれかを狙い打ちすることにより、遊技者の所望する音態様を選択可能として、遊技者の遊技への参加感または興趣を向上させたことが上述の第１実施例および第２実施例との主な相違点であり、以下相違点を中心に説明する。
【０１０８】
第３実施例のパチンコ遊技機は図１３に示されるように、前記入賞検知スイッチ２０ないし２７より出力された入賞情報および前記検知順序に基づいて前記スピーカ９９によって報知する音態様を選択する音態様割振手段８６２を備えている。
【０１０９】
以下において、本第３実施例における前記報知手段９を構成する前記スピーカ９９によって報知される音態様の決定制御を説明する。
【０１１０】
本第３実施例のパチンコ遊技機は、図１６に示されるように前記音態様割振手段８６２が、前記第１種非電動役物１０および１１に対しては、上述した第２実施例のパチンコ遊技機における前記音態様割振手段８６と同様に音態様（サ）が選択されるとともに、前記入賞口１６および１７に対しても、上述した第２実施例のパチンコ遊技機における前記音態様割振手段８６と同様に音態様（タ）が選択される。
【０１１１】
一方、前記音態様割振手段８６２は、前記第２種非電動役物１２ないし１５に対しての音態様割振パターンを３種類備えている。前記音態様割振手段８６２の検知順序「１」に対しては図１６（ａ）に示されるように入賞検知スイッチ２２、２３および２４に対して音態様（ア）、音態様（Ａ）および音態様（１）が設定されている。
【０１１２】
ここで、上述した「状態１」において前記第２種非電動役物１２の前記左誘導部材５０および右誘導部材５１に誘導されて遊技球が入賞すると、図１６（ａ）に示される前記音態様割振手段８６２の入賞検知スイッチ２２・検知順序「１」の項目が参照され前記スピーカ９９において音態様（ア）が報知される。また、前記第２種非電動役物１２は拡開状態から閉鎖状態へと変換されるとともに前記第２種非電動役物１５は閉鎖状態から拡開状態へと変換され、前記音態様割振手段８６２の検知順序は「１」から「２」へと移行されるとともに、図１６（ｂ）に示されるように音態様（ア）に対して連続性を有する音態様（イ）ないし音態様（コ）によって構成される音態様割振パターンが決定される。
【０１１３】
一方、上述した「状態１」において前記第２種非電動役物１３の前記左誘導部材および右誘導部材に誘導されて遊技球が入賞すると、図１６（ａ）に示される前記音態様割振手段８６２の入賞検知スイッチ２３・検知順序「１」の項目が参照され前記スピーカ９９において音態様（Ａ）が報知される。また、前記第２種非電動役物１３は拡開状態から閉鎖状態へと変換されるとともに前記第２種非電動役物１５は閉鎖状態から拡開状態へと変換され、前記音態様割振手段８６２の検知順序は「１」から「２」へと移行されるとともに、図１６（ｃ）に示されるように音態様（Ａ）に対して連続性を有する音態様（Ｂ）ないし音態様（Ｊ）によって構成される音態様割振パターンが決定される。
【０１１４】
前記音態様割振手段８６２における検知順序「２」以降についての音態様の決定制御については上述の第２実施例と同様に逐次選択されるものである。なお、図１６（ｄ）に示される音態様（２）ないし音態様（１０）によって構成される割振パターンについては、前記中ゲート３１および右ゲート３２に遊技球が進入した場合に拡開状態となる前記第２種非電動役物１４に対して、前記音態様割振手段８６２の検知順序が「１」である時に、該第２種非電動役物１４の左誘導部材および右誘導部材に誘導されて遊技球が入賞した場合に決定されるものである。
【０１１５】
上記構成より成る本第３実施例のパチンコ遊技機においては前記音態様割振手段８６２によって選択される音態様を一例として、音態様（ア）ないし音態様（コ）で報知される音情報をドラマ「冬のソナタ」で主人公がヒロインに対してかけた言葉を音態様（ア）から音態様（コ）に対して時系列の順に並べたものとし、音態様（Ａ）ないし音態様（Ｊ）で報知される音情報を時代劇「水戸黄門」において使用されたメロディーを１０等分して音態様（Ａ）から音態様（Ｊ）に対して順に並べたものとし、音態様（１）ないし音態様（１０）で報知される音情報を「ピロン」という効果音に対して音の高さまたは強さの、低いもの（すなわち、周波数の低いもの）または弱いものから高いもの（すなわち、周波数の高いもの）または強いものを音態様（１）から音態様（１０）に対して順に並べたものとする。
【０１１６】
以下、上記構成および作用の本第３実施例のパチンコ遊技機の効果について説明する。
【０１１７】
上記作用を奏する第３実施例のパチンコ遊技機は、前記音態様割振手段８６２が前記第２種非電動役物１２ないし１５に対しての音態様割振パターンを３種類備えていることにより、遊技状況に応じて多彩な音態様を報知することが可能であるので遊技者に対して興趣のある遊技を提供できるという効果を奏する。
【０１１８】
また、本第３実施例のパチンコ遊技機は、前記音態様割振手段８６２の検知順序が「１」である時において入賞した前記第２種非電動役物１２ないし１４のいずれかに応じて３種類の割振パターンを決定するため、遊技者は上述した３種類の割振パターンの所望する音態様を決定する第２種非電動役物１２ないし１４のいずれかを狙い打ちすることが可能であり、遊技者に対して遊技への参加感を高めるとともに、遊技に対しての興趣を維持することができるという効果を奏する。
【０１１９】
上記作用を奏する第３実施例のパチンコ遊技機は、前記入賞検知スイッチ２０ないし２７が入賞装置への入賞を検知するとともに入賞情報を出力して、前記入賞検知スイッチ２０ないし２７の検知出力に基づき前記音態様割振手段８６２において、入賞順序の適否に応じて設定された順序の音態様を選択するとともに前記スピーカ９９によって報知するので、遊技者が報知された音態様の順序により前記入賞装置への入賞順序の適否を知ることができるという効果を奏する。
【０１２０】
上記作用を奏する第３実施例のパチンコ遊技機は、前記ゲート進入検知スイッチ２８において遊技球の進入を検知した時に、前記スピーカ９９によって報知される音態様を決定する前記音態様割振手段８６２の検知順序をリセットするので、前記ゲート進入検知スイッチ２８における遊技球の検知を契機として報知する音態様の順序を変更するため、遊技者に興趣のある遊技を提供できるという効果を奏する。
【０１２１】
上記作用を奏する第３実施例のパチンコ遊技機は、前記左ゲート３０、中ゲート３１および前記右ゲート３２への遊技球の進入によって、前記ゲート進入検知スイッチ２８において検知出力が出されるので、前記報知手段において報知される音態様の順序の基準を明確にするという効果を奏する。
【０１２２】
上記作用を奏する第３実施例のパチンコ遊技機は、前記第２種非電動役物１２ないし１５への入賞により獲得する賞球数が遊技者にとって有利となる順序で入賞した場合には、前記音態様割振手段８６２により入賞順序の適否に応じて設定された順序の音態様が互いに関連して違和感のない音態様を形成するので、遊技者は報知された該音態様によって前記第２種非電動役物１２ないし１５への入賞した順序が遊技者にとって有利となる入賞順序であったかどうかを知ることができるという効果を奏する。
【０１２３】
上記作用を奏する第３実施例のパチンコ遊技機は、報知された該音態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にするので、遊技者が遊技を行いながら興趣を持って遊技方法を習得することができるという効果を奏する。
【０１２４】
上記作用を奏する第３実施例のパチンコ遊技機は、前記第２種非電動役物１２ないし１５への入賞順序の適否に基づき音量が異なる複数の音態様によって報知するので、遊技者が報知された音態様により興趣をもって前記第２種非電動役物１２ないし１５への入賞順序の適否を知ることができるという効果を奏する。
【０１２５】
上記作用を奏する第３実施例のパチンコ遊技機は、前記第２種非電動役物１２ないし１５への入賞順序の適否に基づき音の周波数（すなわち、音の高さ）が異なる複数の音態様によって報知するので、遊技者が報知された音態様により興趣をもって前記第２種非電動役物１２ないし１５への入賞順序の適否を知ることができるという効果を奏する。
【実施例４】
【０１２６】
本第４実施例のパチンコ遊技機は、前記第１発明ないし第６発明の実施例であり、図１７に示されるように前記入賞検知スイッチ２５および２９より出力された入賞情報および検知順序に基づいて前記スピーカ９９によって報知する音態様を選択する音態様割振手段８６３を備えたことを特徴とする。なお前記音態様割振手段８６３は、図１８に示されるように遊技者にとって有利となる順序で遊技球が第２種非電動役物１２ないし１５の前記左誘導部材および右誘導部材に誘導されて入賞した場合に、選択される音態様が互いに関連して違和感のない音態様を形成するように構成されているものであり、以下より相違点を中心に説明する。
【０１２７】
さらに、本第４実施例のパチンコ遊技機は、上述の第１実施例のパチンコ遊技機と同様に図３に示されるように前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設することにより、パチンコ遊技機製造に必要となる前記入賞検知スイッチの数を減らしたものである。
【０１２８】
また、本第４実施例のパチンコ遊技機は図１８（ａ）ないし（ｃ）に示されるように、音態様割振手段８６３において検知順序に応じた音態様の割振パターンを３種類備え、遊技球が前記左ゲート３０、中ゲート３１または右ゲート３２のいずれに進入したかに応じて３種類の割振パターンを決定して、音態様割振手段８６３における検知順序「１」以降の報知する音態様を選択する構成とすることにより、前記左ゲート３０、中ゲート３１または右ゲート３２のいずれかを狙い打ちすることにより、遊技者の所望する音態様を選択可能として、遊技者の遊技への参加感または興趣を向上させたことが上述の第１実施例ないし第３実施例との主な相違点である。
【０１２９】
第４実施例のパチンコ遊技機は、図１ないし図１０、図１７および図１８に示されるように前記第２種非電動役物１２ないし１４の入賞を検知して入賞情報を出力する入賞検知スイッチ２９と、前記第２種非電動役物１５の入賞を検知して入賞情報を出力する入賞検知スイッチ２５と、前記入賞検知スイッチ２５および２９より出力された入賞情報に基づいて設定された順序で音態様を出力する報知手段としてのスピーカ９９と、前記入賞検知スイッチ２５および２９より出力された入賞情報および検知順序に基づいて前記スピーカ９９によって報知する音態様を選択する音態様割振手段８６３と、遊技球の進入によって前記音態様割振手段８６３における検知順序をリセットするとともに、前記音態様割振手段８６３における音態様の割振パターンを決定する左ゲート３０、中ゲート３１および右ゲート３２と、該左ゲート３０への遊技球の進入を検知するゲート進入スイッチ２８ａ、該中ゲート３１への遊技球の進入を検知するゲート進入スイッチ２８ｂおよび該右ゲート３２への遊技球の進入を検知するゲート進入スイッチ２８ｃを備えている。
【０１３０】
以下において、本第４実施例における前記スピーカ９９によって報知される音態様の決定制御について説明する。
【０１３１】
本第４実施例のパチンコ遊技機における前記第１種非電動役物１０および１１への遊技球の入賞に関しては、前記音態様割振手段８６３へと該入賞情報を出力する入賞検知スイッチを備えていないため、当然として前記スピーカ９９によって音態様は報知されない。同様に、前記入賞口１６および１７に関しても、前記音態様割振手段８６３へと該入賞情報を出力する入賞検知スイッチを備えていないため、当然として前記スピーカ９９によって音態様は報知されない。  
【０１３２】
前記音態様割振手段８６３は前記第２種非電動役物１２ないし１５の前記左誘導部材および右誘導部材に誘導による遊技球の入賞に対しての音態様割振パターンを３種類備えている。なお、遊技球が前記左ゲート３０に進入して、前記ゲート進入スイッチ２８ａにおいて検知出力が出された場合には図１８（ａ）に示されるように音態様（ア）ないし音態様（コ）によって構成される音態様割振パターンが決定され、遊技球が前記中ゲート３１に進入して、前記ゲート進入スイッチ２８ｂにおいて検知出力が出された場合には図１８（ｂ）に示されるように音態様（Ａ）ないし音態様（Ｊ）によって構成される音態様割振パターンが決定され、遊技球が前記右ゲート３２に進入して、前記ゲート進入スイッチ２８ｃにおいて検知出力が出された場合には図１８（ｃ）に示されるように音態様（１）ないし音態様（１０）によって構成される音態様割振パターンが決定される。
【０１３３】
ここで、上述した「状態１」において前記第２種非電動役物１２の前記左誘導部材５０および右誘導部材５１に誘導されて遊技球が入賞すると、図１８（ａ）に示される前記音態様割振手段８６３の入賞検知スイッチ２９・検知順序「１」の項目が参照され前記スピーカ９９において音態様（ア）が報知される。また、前記第２種非電動役物１２は拡開状態から閉鎖状態へと変換されるとともに前記第２種非電動役物１５は閉鎖状態から拡開状態へと変換され、前記音態様割振手段８６３の検知順序は「１」から「２」へと移行される。
【０１３４】
一方、上述した「状態１」において前記第２種非電動役物１３の前記左誘導部材および右誘導部材に誘導されて遊技球が入賞すると、図１８（ａ）に示される前記音態様割振手段８６３の入賞検知スイッチ２９・検知順序「１」の項目が参照され前記スピーカ９９において音態様（ア）が報知される。また、前記第２種非電動役物１３は拡開状態から閉鎖状態へと変換されるとともに前記第２種非電動役物１５は閉鎖状態から拡開状態へと変換され、前記音態様割振手段８６３の検知順序は「１」から「２」へと移行される。
【０１３５】
すなわち、前記第２種非電動役物１２ないし１４の前記左誘導部材および右誘導部材に誘導されて入賞した遊技球を検知する入賞検知スイッチ２９が共通であることから、当然として「状態１」において前記第２種非電動役物１２の前記左誘導部材５０および右誘導部材５１に誘導されて遊技球が入賞するのか、前記第２種非電動役物１３の前記左誘導部材および右誘導部材に誘導されて遊技球が入賞するのかに対して、前記音態様割振手段８６３において選択される音態様は同一であるとともにその後の遊技状況に変わりはない。
【０１３６】
つまり、本第４実施例のパチンコ遊技機はパチンコ遊技機製造に必要となる前記入賞検知スイッチの数を減らすとともに、遊技者にとって有利となる前記第２種非電動役物１２ないし１５への入賞順序を遊技者が、遊技を通じて学習することを可能にするという作用を実現するものである。
【０１３７】
なお、前記音態様割振手段８６３における検知順序「２」以降についての音態様の決定制御については第２実施例および第３実施例と同様に逐次選択されるものである。
【０１３８】
上記構成より成る本第４実施例のパチンコ遊技機においては前記音態様割振手段８６３によって選択される音態様を一例として、音態様（ア）ないし音態様（コ）で報知される音情報をドラマの各場面で主人公が発した言葉を音態様（ア）から音態様（コ）に対して時系列の順に並べたものとし、音態様（Ａ）ないし音態様（Ｊ）で報知される音情報を時代劇「必殺仕事人」において使用されたメロディーを１０等分して音態様（Ａ）から音態様（Ｊ）に対して順に並べたものとし、音態様（１）ないし音態様（１０）で報知される音情報を「ひとつ」、「ふたつ」、「みっつ」から「ここのつ」、「とう」というかけ声を音態様（１）から音態様（１０）に対して順に並べたものとする。
【０１３９】
以下、上記構成および作用の本第４実施例のパチンコ遊技機の効果について説明する。
【０１４０】
上記作用を奏する本第４実施例のパチンコ遊技機は、前記音態様割振手段８６３が前記第２種非電動役物１２ないし１５に対しての音態様割振パターンを３種類備えていることにより、遊技状況に応じて多彩な音態様を報知することが可能であるので遊技者に対して興趣のある遊技を提供できるという効果を奏する。
【０１４１】
また、上記作用を奏する本第４実施例のパチンコ遊技機は、遊技球が前記左ゲート３０、中ゲート３１または右ゲート３２のいずれかに進入するかに応じて前記音態様割振手段８６３の３種類の割振パターンを決定するため、遊技者は上述した３種類の割振パターンの所望する音態様を決定する前記左ゲート３０、中ゲート３１または右ゲート３２のいずれかを狙い打ちすることが可能であり、遊技者に対して遊技への参加感を高めるとともに遊技に対しての興趣を維持することができるという効果を奏する。
【０１４２】
本第４実施例のパチンコ遊技機は、前記入賞検知スイッチが入賞装置への入賞を検知するとともに入賞情報を出力して、前記入賞検知スイッチの検知出力に基づき前記音態様割振手段８６３において、検知順序に応じて設定された順序の音態様を選択するとともに前記スピーカ９９によって報知するので、遊技者が報知された音態様の順序により前記入賞装置への入賞順序の適否を知ることができるという効果を奏する。
【０１４３】
本第４実施例のパチンコ遊技機は、前記ゲート進入検知スイッチ２８において遊技球の進入を検知した時に、前記スピーカ９９によって報知される音態様を決定する前記音態様割振手段８６３の検知順序をリセットするとともに、報知する音態様の割振パターンを決定するので、前記ゲート進入検知スイッチ２８における遊技球の検知を契機として報知する音態様の種類またはおよび順序を変更することにより、遊技者に興趣のある遊技を提供できるという効果を奏する。
【０１４４】
本第４実施例のパチンコ遊技機は、前記左ゲート３０、中ゲート３１および前記右ゲート３２への遊技球の進入によって、前記ゲート進入検知スイッチ２８において検知出力が出されるので、前記報知手段において報知される音態様の順序の基準を明確にするという効果を奏する。
【０１４５】
本第４実施例のパチンコ遊技機は、前記第２種非電動役物１２ないし１５への入賞により獲得する賞球数が遊技者にとって有利となる順序で入賞した場合には、前記音態様割振手段８６３により検知順序に応じて設定された順序の音態様が互いに関連して違和感のない音態様を形成するので、遊技者は報知された該音態様によって前記第２種非電動役物１２ないし１５への入賞した順序が遊技者にとって有利となる入賞順序であったかどうかを知ることができるという効果を奏する。
【０１４６】
本第４実施例のパチンコ遊技機は、報知された該音態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【０１４７】
本第４実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、前記複数の入賞装置の中で役割が同一のものの入賞を１つの検知手段によって検出したので、必要となる検知手段の数を削減することによりパチンコ遊技機の製造コストを低減することができるという効果を奏する。
【実施例５】
【０１４８】
本第５実施例のパチンコ遊技機は前記第８発明の実施例であり、前記第２種非電動役物１２ないし１５の前記左誘導部材および右誘導部材に誘導されて入賞する毎に、前記入賞検知スイッチ２９および２５による検知出力と前記入賞検知スイッチ２９および２５により検知された前回の検知出力とを比較する入賞情報比較手段９１を備え、該入賞情報比較手段の比較結果に基づいて、前回の入賞に対する今回の入賞の順序が遊技者にとって有利な順序かどうかを判定し、判定結果に応じて異なった音態様によって報知するように構成した点が、上述の第１実施例ないし第４実施例との主な相違点であり、以下相違点を中心に説明する。
【０１４９】
また、本第５実施例のパチンコ遊技機は、上述の第１実施例、第３実施例および第４実施例のパチンコ遊技機と同様に図３に示されるように前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設することにより、パチンコ遊技機製造に必要となる前記入賞検知スイッチの数を減らしたものである。
【０１５０】
第５実施例のパチンコ遊技機は、図１９に示されるように、前記第２種非電動役物１２ないし１４への入賞を検知して入賞情報を出力する入賞検知スイッチ２９と、前記第２種非電動役物１５の入賞を検知して入賞情報を出力する入賞検知スイッチ２５と、前記入賞検知スイッチ２５および２９より出力された入賞情報と、該入賞検知スイッチ２５および２９により出力された前回の入賞情報とを比較して前記スピーカ９９によって報知する音態様を選択する入賞情報比較手段９１と、遊技球の進入によって前記第２種非電動役物１２ないし１５の一部を拡開状態へと変換する左ゲート３０、中ゲート３１および右ゲート３２を備えている。
【０１５１】
以下において、本第５実施例における前記スピーカ９９によって報知される音態様の順序の決定制御を説明する。
【０１５２】
本第５実施例のパチンコ遊技機において前記入賞口１６および１７への入賞が前記入賞検知スイッチ２６および２７において検知されると、前記入賞口１６および１７への入賞に関しては入賞する順序が遊技者にとって有利であるかどうかに関与しないため前記入賞情報比較手段９１において入賞情報は比較せず、前記スピーカ９９によって音態様（ア）を報知する。また、前記第１種非電動役物１０および１１への入賞が前記入賞検知スイッチ２０および２１において検知されると、前記第１種非電動役物１０および１１への入賞に関しては入賞する順序が遊技者にとって有利であるかどうかに関与しないため前記入賞情報比較手段９１において入賞情報は比較せず、前記スピーカ９９によって音態様（イ）を報知する。  
【０１５３】
ここで、上述した「状態１」において前記第２種非電動役物１２の前記左誘導部材５０および右誘導部材５１に誘導されて遊技球が入賞して、前記入賞検知スイッチ２９において入賞が検知されると、前記入賞情報比較手段９１において比較対象となる前回の入賞情報は存在しない。なお、前記入賞情報比較手段９１においては比較対象となる前回の入賞情報が存在しない場合には今回の入賞情報は遊技者にとって有利であったと判断されるので、前記スピーカ９９において音態様（カ）が報知される。また、前記第２種非電動役物１２は拡開状態から閉鎖状態へと変換されるとともに前記第２種非電動役物１５は閉鎖状態から拡開状態へと変換され、前記入賞検知スイッチ２９において取得された入賞情報が前記ＲＡＭ８３において一時的に記憶される。
【０１５４】
次に上述した「状態２」において、前記第２種非電動役物１５の前記左誘導部材および右誘導部材に誘導されて遊技球が入賞して、前記入賞検知スイッチ２５において入賞が検知されると、前記入賞情報比較手段９１において前回取得された前記入賞検知スイッチ２９における入賞に対する今回取得された前記入賞検知スイッチ２５による入賞の順序が遊技者にとって有利となる順序かどうかを比較判定して、遊技者にとって有利となる順序であると判定されるため前記スピーカ９９において音態様（カ）が報知されるとともに、前記入賞検知スイッチ２５において取得された入賞情報が前記ＲＡＭ８３において一時的に記憶される。
【０１５５】
一方上述した「状態２」において、前記第２種非電動役物１３の前記左誘導部材および右誘導部材に誘導されて遊技球が入賞して、前記入賞検知スイッチ２９において入賞が検知されると、前記入賞情報比較手段９１において前回取得された前記入賞検知スイッチ２９における入賞に対する今回取得された前記入賞検知スイッチ２９による入賞の順序が遊技者にとって有利となる順序かどうかを比較判定して、遊技者にとって有利とならない順序であると判定されるため前記スピーカ９９において音態様（サ）が報知されるとともに、前記入賞検知スイッチ２９において取得された入賞情報およびが前記ＲＡＭ８３において一時的に記憶される。
【０１５６】
上述したように、前記入賞情報比較手段９１において、今回取得した第２種非電動役物への入賞が前回取得した第２種非電動役物への入賞に対して遊技者にとって有利となる順序と判断された場合においては、前記スピーカ９９によって音態様（カ）を報知する。また、前記入賞情報比較手段９１において、今回取得した第２種非電動役物への入賞情報が前回取得した第２種非電動役物への入賞情報と比較して遊技者にとって有利とならない順序と判断される場合においては、前記スピーカ９９によって音態様（サ）を報知する。
【０１５７】
本第５実施例における前記入賞検知スイッチ２０、２１、２５、２６、２７または２９における入賞検知から前記入賞情報比較手段９１における比較判定に基づいて報知する音態様を選択する流れを図２０に示されるフローチャートを用いて説明する。
【０１５８】
遊技球が発射され遊技が開始され、最初にステップ１０１において、前記第１種非電動役物１０または１１に遊技球が入賞すると、前記入賞検知スイッチ２０または２１において該入賞情報が出力される。ここで、前記第１種非電動役物１０または１１への入賞に関しては前記入賞情報比較手段９１において入賞情報の比較は行なわれず、ステップ１０２において、前記スピーカ９９によって音態様（イ）が報知される。
【０１５９】
次にステップ１０３において、前記入賞口１６または１７に遊技球が入賞すると、前記入賞検知スイッチ２６または２７において該入賞情報が出力される。ここで、前記入賞口１６または１７への入賞に関しては前記入賞情報比較手段９１において入賞情報の比較は行なわれず、ステップ１０４において、前記スピーカ９９によって音態様（ア）が報知される。
【０１６０】
次にステップ１０５において、前記第２種非電動役物１２ないし１５に遊技球が入賞すると、前記入賞検知スイッチ２９および２５において該入賞情報が出力される。ここでステップ１０６において、前記入賞情報比較手段９１において前記ＲＡＭ８３に一時的に記憶された前回の入賞情報と、前記入賞検知スイッチ２９および２５によって今回取得された今回の入賞情報とが比較され、前回の入賞に対する今回の入賞の順序が遊技者にとって有利であったかどうかが判定される。
【０１６１】
なおステップ１０７において、前記入賞情報比較手段９１における比較結果が遊技者にとって有利であったかどうか判断され、前記入賞情報比較手段９１における比較結果が遊技者にとって有利であった場合にはステップ１０８において、前記スピーカ９９によって音態様（カ）が報知されるとともに、ステップ１０９において、前記入賞検知スイッチ２９および２５によって取得された今回の入賞情報を前記ＲＡＭ８３において一時的に記憶する。
【０１６２】
また、前記入賞情報比較手段９１における比較結果が遊技者にとって有利でなかった場合にはステップ１１０において、前記スピーカ９９によって音態様（サ）が報知されるとともに、ステップ１１１において、前記入賞検知スイッチ２９および２５によって取得された今回の入賞情報を前記ＲＡＭ８３において一時的に記憶する。
【０１６３】
以下、上記構成および作用の本第５実施例のパチンコ遊技機の効果について説明する。
【０１６４】
上記作用を奏する第５実施例のパチンコ遊技機は、前記入賞検知スイッチ２９および２５が前記第２種非電動役物１２ないし１５への入賞を検知するとともに入賞情報を出力して、前記第２種非電動役物１２ないし１５に入賞する毎に、前記入賞情報比較手段９１によって前記入賞検知スイッチ２９および２５により検知された前回の入賞情報と前記入賞検知スイッチ２９および２５により検知された今回の入賞情報とを比較することにより、前回の入賞に対する今回の入賞の順序が遊技者にとって有利であるかどうかの前記入賞情報比較手段９１の比較結果に基づき前記スピーカ９９によって、前回の入賞情報に対して今回の入賞情報が遊技者にとって有利かどうかで異なった音態様によって報知するので、遊技者が報知された音態様により前記入賞装置への入賞順序が遊技者にとって有利かどうかを知ることができるという効果を奏する。
【０１６５】
上記作用を奏する第５実施例のパチンコ遊技機は、報知された該音態様の順序によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者が遊技を行いながら興趣を持って遊技方法を習得することができるという効果を奏する。
【０１６６】
上記作用を奏する第５実施例のパチンコ遊技機は、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチ２９を配設したので、特定の組み合わせにより組み合わせた複数の入賞装置に対して、必要となる入賞検知装置の数を削減することによりパチンコ遊技機の製造コストを低減することができるという効果を奏する。
【０１６７】
上記作用を奏する第５実施例のパチンコ遊技機は、前記ＲＡＭ８３において一時的に記憶される前記入賞検知スイッチ２９および２５において取得された入賞情報は最大で１つであるので、高価な前記ＲＡＭ８３において必要となるメモリ容量を低減することにより安価な部品によってパチンコ遊技機を製造することができるという効果を奏する。
【実施例６】
【０１６８】
本第６実施例のパチンコ遊技機は、前記第９発明の実施例であり、前記第２種非電動役物１２ないし１５の開閉状態を検知する開閉状態検知手段９２を備え、前記第２種非電動役物１２ないし１５の前記左誘導部材および右誘導部材に誘導されて入賞する毎に、前記入賞検知スイッチ２２ないし２５による入賞検知出力と入賞前の前記開閉状態検知手段９２による第２種非電動役物１２ないし１５の開閉状態の検知出力に基づいて入賞が有利かどうかを判定するための入賞判定テーブル９３に従って、遊技者にとって有利な入賞の順序かどうかを判定する判定手段９４における判定結果に基づいて有利かどうかで異なった音態様によって報知するように構成した点が、上述の第１実施例ないし第５実施例との主な相違点であり、以下相違点を中心に説明する。すなわち、入賞前の第２種非電動役物１２ないし１５の開閉状態とどの第２種非電動役物に入賞したのかによって、有利な入賞かどうかを判定する点が特徴である。
【０１６９】
第６実施例のパチンコ遊技機は、図２１ないし図２３に示されるように前記第２種非電動役物１２ないし１５の開閉状態を検知する開閉状態検知手段９２と、前記第２種非電動役物１２ないし１５に入賞する毎に、前記入賞検知スイッチ２２ないし２５により検知された入賞情報および前記開閉状態検知手段９２における検知出力に基づいて構成される入賞判定テーブル９３に従って、前記第２種非電動役物１２ないし１５への入賞が遊技者にとって有利な入賞かどうかを判定する判定手段９４と、前記判定手段９４における判定結果に基づいて前記第２種非電動役物１２ないし１５への入賞が遊技者にとって有利かどうかで異なった音態様を出力する報知手段としてのスピーカ９９と、遊技球の進入によって前記第２種非電動役物１２ないし１５の一部を拡開状態へと変換する左ゲート３０、中ゲート３１および右ゲート３２を備えている。
【０１７０】
前記開閉状態検知手段９２は、前記第２種非電動役物１２の開閉状態を検知する開閉状態検知装置１１２、前記第２種非電動役物１３の開閉状態を検知する開閉状態検知装置１１３、前記第２種非電動役物１４の開閉状態を検知する開閉状態検知装置１１４および前記第２種非電動役物１５の開閉状態を検知する開閉状態検知装置１１５により構成される。
【０１７１】
前記開閉状態検知装置１１２は、図２２（ａ）に示されるように、前記遊技盤１００の裏面に前記第２種非電動役物１２に対して一定距離下方に離して配設され、一端が固着されたバネ部材より成る薄板矩形状の揺動部材１２０と、前記揺動部材１２０の他端に回転自在に配設されたローラ状部材１２１とから成り、前記第２種非電動役物１２が閉鎖状態の時には、前記ローラ状部材１２１が前記第２のガイド部材５５の下端に当接して図中下方に押圧されるので、前記ローラ状部材１２１を一端に支持する前記揺動部材１２０が他端を中心として図中時計方向に揺動するので、前記揺動部材１２０と非接触の接点部材１２２が揺動してきた前記揺動部材１２０に接触して図中下方へ押圧され、前記第２種非電動役物１２が閉鎖状態であることを検知するように構成されている。
【０１７２】
なお、図２２（ｂ）に示されるように、前記第２種非電動役物１２が拡開状態の時には、前記ローラ状部材１２１が図中反時計方向に揺動した前記第２のガイド部材５５と非接触状態となるので、前記ローラ状部材１２１を一端に支持する前記揺動部材１２０が他端を中心として図中反時計方向に揺動するので、前記揺動部材１２０と接点部材１２２は非接触状態を維持して、前記第２種非電動役物１２が拡開状態であることを検知するように構成されている。
【０１７３】
また、前記開閉状態検知装置１１３ないし１１５については前記開閉状態検知装置１１２と同様の構成であるため説明を省略する。
なお、前記開閉状態検知手段９２は、各開閉状態検知装置１１２ないし１１５の開閉状態のデータを一時的に保存する一時保存手段を備え、前記スピーカ９９による音態様の報知が行なわれると、前記開閉状態検知装置１１２ないし１１５によって検知された前記第２種非電動役物１２ないし１５の開閉状態の情報によって前記一時保存手段のデータが上書きされるものである。
【０１７４】
前記入賞判定テーブル９３は、図２３に示されるように、前記第２種非電動役物１２の前記左誘導部材５０および右誘導部材５１に誘導されて遊技球が入賞した場合に参照されるテーブルＡと、前記第２種非電動役物１３の前記左誘導部材および右誘導部材に誘導されて遊技球が入賞した場合に参照されるテーブルＢと、前記第２種非電動役物１４の前記左誘導部材および右誘導部材に誘導されて遊技球が入賞した場合に参照されるテーブルＣと、前記第２種非電動役物１５の前記左誘導部材および右誘導部１に誘導されて遊技球が入賞した場合に参照されるテーブルＤとにより構成され、予め前記ＲＯＭ８２に格納されている。
【０１７５】
以下において、本第６実施例における前記スピーカ９９によって報知される音態様の決定制御を説明する。
【０１７６】
本第６実施例のパチンコ遊技機は、前記入賞口１６および１７への入賞が前記入賞検知スイッチ２６および２７において検知されると、前記入賞口１６および１７への入賞に関しては入賞する順序が遊技者にとって有利であるかどうかに関与しないため、上述の第５実施例と同様に前記スピーカ９９によって音態様（ア）を報知する。また、前記第１種非電動役物１０および１１への入賞が前記入賞検知スイッチ２０および２１において検知されると、前記第１種非電動役物１０および１１への入賞に関しては入賞する順序が遊技者にとって有利であるかどうかに関与しないため、上述の第５実施例と同様に前記スピーカ９９によって音態様（イ）を報知する。  
【０１７７】
ここで、上述した「状態１」において前記第２種非電動役物１２の前記左誘導部材５０および右誘導部材５１に誘導されて遊技球が入賞して、前記入賞検知スイッチ２２において入賞が検知されると、前記スイッチ２２における入賞データおよび前記一時保存手段に保存された入賞前の前記第２種非電動役物１２ないし１５の開閉状態のデータに基づき、図２３に示される前記入賞判定テーブル９３のテーブルＡにおける上から４行目を参照して、該入賞が遊技者にとって有利な入賞であると判定され、前記スピーカ９９において音態様（カ）が報知される。なお、前記第２種非電動役物１２は拡開状態から閉鎖状態へと変換され、前記第２種非電動役物１５は閉鎖状態から拡開状態へと変換されるとともに、前記一時保存手段において保存する開閉状態のデータが、前記第２種非電動役物１２は閉鎖状態、前記第２種非電動役物１３は拡開状態、前記第２種非電動役物１４は閉鎖状態および前記第２種非電動役物１５は拡開状態であると上書きされる。
【０１７８】
また、上述した「状態２」において前記第２種非電動役物１５の前記左誘導部材および右誘導部材に誘導されて遊技球が入賞して、前記入賞検知スイッチ２５において入賞が検知されると、前記スイッチ２５における入賞データおよび前記一時保存手段に保存された入賞前の前記第２種非電動役物１２ないし１５の開閉状態のデータに基づき、図２３に示される前記入賞判定テーブル９３のテーブルＤにおける上から６行目を参照して該入賞が遊技者にとって有利な入賞であると判定され、前記スピーカ９９において音態様（カ）が報知される。なお、前記第２種非電動役物１５は拡開状態から閉鎖状態へと変換されるとともに、前記一時保存手段において保存する開閉状態のデータが、前記第２種非電動役物１２は閉鎖状態、前記第２種非電動役物１３は拡開状態、前記第２種非電動役物１４は閉鎖状態および前記第２種非電動役物１５は閉鎖状態であると上書きされる。
【０１７９】
一方、上述した「状態２」において前記第２種非電動役物１３の前記左誘導部材および右誘導部材に誘導されて遊技球が入賞して、前記入賞検知スイッチ２３において入賞が検知されると、前記スイッチ２３における入賞データおよび前記一時保存手段に保存された入賞前の前記第２種非電動役物１２ないし１５の開閉状態のデータに基づき、図２３に示される前記入賞判定テーブル９３のテーブルＢにおける上から７行目を参照して該入賞が遊技者にとって有利とならない入賞であると判定され、前記スピーカ９９において音態様（サ）が報知される。なお、前記第２種非電動役物１３は拡開状態から閉鎖状態へと変換され、前記第２種非電動役物１５は拡開状態を維持するとともに、前記一時保存手段において保存する開閉状態のデータが、前記第２種非電動役物１２は閉鎖状態、前記第２種非電動役物１３は閉鎖状態、前記第２種非電動役物１４は閉鎖状態および前記第２種非電動役物１５は拡開状態であると上書きされる。
【０１８０】
本第６実施例のパチンコ遊技機においては、上述したように前記第２種非電動役物１２ないし１５の前記左誘導部材および右誘導部材に誘導されて遊技球が入賞する毎に、上記した前記入賞判定テーブル９３を参照して前記スピーカ９９によって報知する音態様を選択する。
【０１８１】
なお、本第６実施例のパチンコ遊技機においては音態様（カ）を遊技者にとって有利な入賞であると判定された場合に報知される音態様として、音態様（サ）を遊技者にとって有利な入賞とならないと判定された場合に報知される音態様とする。
【０１８２】
以下、上記構成および作用の本第６実施例のパチンコ遊技機の効果について説明する。
【０１８３】
上記作用を奏する第６実施例のパチンコ遊技機は、前記入賞検知スイッチ２２ないし２５が前記第２種非電動役物１２ないし１５への入賞を検知して入賞情報を出力するとともに、前記開閉状態検知手段９２が前記第２種非電動役物１２ないし１５の開閉状態を検知して、前記第２種非電動役物１２ないし１５に入賞する毎に、前記入賞検知スイッチ２２ないし２５により検知された入賞情報および入賞前における前記開閉状態検知手段９２における検知出力に基づいて構成される前記入賞判定テーブル９３に従って、前記第２種非電動役物１２ないし１５への入賞が遊技者にとって有利かどうかを判定するとともに、該判定結果に基づき前記スピーカ９９によって、該入賞が遊技者にとって有利かどうかで異なった音態様によって報知するので、遊技者は報知された音態様の順序により前記第２種非電動役物１２ないし１５への入賞が遊技者にとって有利となる入賞かどうかを知ることができるという効果を奏する。
【０１８４】
上記作用を奏する第６実施例のパチンコ遊技機は、報知された該音態様によって前記第２種非電動役物１２ないし１５への入賞した順序が遊技者にとって有利となる入賞順序であったかどうかを報知するため、遊技者に対して間接的に遊技者にとって有利となる入賞順序の学習を可能にすることができるので、遊技者は遊技を行いながら興趣を持って遊技方法を習得することができるという効果を奏する。
【０１８５】
上記作用を奏する第６実施例のパチンコ遊技機は、前記第２種非電動役物１２ないし１５への入賞が前記入賞検知スイッチ２２ないし２５において検知される毎に、前記入賞判定テーブル９３を参照して、遊技者にとって有利となるかどうかを判定するため、前記入賞検知スイッチにおいて取得された入賞情報を前記ＲＡＭ８３に記憶する必要がないので、高価な前記ＲＡＭ８３において必要となるメモリ容量を削減することにより安価な部品によってパチンコ遊技機を製造することができるという効果を奏する。
【０１８６】
上述の実施例は、説明のために例示したもので、本発明としてはそれらに限定されるものではなく、特許請求の範囲、発明の詳細な説明および図面の記載から当業者が認識することができる本発明の技術的思想に反しない限り、変更および付加が可能である。
【０１８７】
前記第１実施例ないし第６実施例においては、前記報知手段９の形態の一例として歌、交響曲、電子音、効果音、音声、台詞またはその他を発生する音の発生手段として前記スピーカ９９を用いたが、本発明はこれに限定されるものではなく、入賞検知手段２からの信号により作動するモータまたはソレノイド、ぜんまい等によりオルゴールまたはベル等に音を発生させる形態を採用することが出来る。また、空気の振動を発生させる装置を備えることにより、入賞検知手段２からの信号を受け音態様を発生させる構成を採用することも出来るものであり、どのような装置または形態によって報知する音態様を発生させるかについては、本発明の効果を実現するにあたり有効的に適宜選択できるものであり、上述したスピーカ９９によるものに限定されない。
【０１８８】
前記第１実施例のパチンコ遊技機については一例として、前記第２種非電動役物１２ないし１４に対応して設定された音態様を「音態様（ア）」として同一のものを採用したが、本発明はこれに限定されるものではなく前記第２種非電動役物１２ないし１４の前記左誘導部材および右誘導部材に誘導されて入賞した遊技球を検知する入賞検知スイッチを備え、前記第２種非電動役物１２に対応した音態様を「音態様（ア）」、前記第２種非電動役物１３に対応した音態様を「音態様（ウ）」および前記第２種非電動役物１４に対応した音態様を「音態様（エ）」として別の音態様を設定する形態を採ることが出来る。なお、上記した形態を採った場合には「音態様（ア）→音態様（イ）」、「音態様（ウ）→音態様（イ）」「音態様（エ）→音態様（イ）」「音態様（イ）→音態様（ア）」「音態様（イ）→音態様（ウ）」および「音態様（イ）→音態様（エ）」の順序で音態様が報知されると違和感のない音態様として意味を有して、「音態様（ア）→音態様（ウ）」「音態様（ア）→音態様（エ）」「音態様（ウ）→音態様（ア）」「音態様（ウ）→音態様（エ）」「音態様（エ）→音態様（ア）」および「音態様（エ）→音態様（ウ）」の順序で音態様が報知されると連続した音態様として順序またはつながりがちぐはぐになるように音態様（ア）ないし音態様（エ）を設定する。
【０１８９】
前記第２実施例においては前記音態様割振手段８６の入賞順序が「１０」以上の場合に前記第２種非電動役物１２ないし１５への前記左誘導部材および右誘導部材に誘導されて遊技球が入賞した場合の音態様については、一律音態様（コ）に統一したが、本発明はこれに限定されるものでなく前記音態様割振手段８６の入賞順序「１」から「９」においての音態様割振と同様に連続性を持ったものとすることが出来る。また、入賞検知スイッチ２０、２１、２６および２７については前記音態様割振手段８６の入賞順序によらない音態様としたが、入賞順序に応じた音態様の順序を割振る構成とすることが出来る。
【０１９０】
前記第２実施例においては、前記入賞検知スイッチ２２ないし２４に対しての音態様を音態様（ア）ないし音態様（コ）、音態様（ア）´ないし音態様（コ）´および音態様（ア）´´ないし音態様（コ）´´を備えた構成としたが、本発明はこれに限定されるものでなく前記入賞検知手段２２ないし２４に対しての音態様を同一の（ア）ないし音態様（コ）とすることが出来る。
【０１９１】
前記第２実施例のパチンコ遊技機において、音態様（ア）ないし音態様（ケ）、音態様（ア）´ないし音態様（ケ）´および音態様（ア）´´ないし音態様（ケ）´´における差異を報知されるメロディーのリズムを速めるまたは遅めることにより実現したが、本発明はこれに限定されることなく、一例として報知されるメロディーをピアノ、フルートおよびバイオリンの３種類の楽器によって発生される音態様における差異を実現する形態を採用することが出来る。なお、上記した音の種類はピアノ、フルートおよびバイオリンの３種類の楽器が発生する音に限定されることなく、本発明の効果を有効に実現するにあたりその他の楽器の音、自然の音を録音したもの、シンセサイザーで合成した音、その他適宜選択できるものである。
【０１９２】
前記第３実施例および第４実施例においては前記音態様割振手段８６２および８６３における入賞順序に応じた音態様の割振パターンを一例として３種類備える構成としたが、本発明はこれに限定されるものでなく該割振パターンを複数種類備え、該複数の割振パターンを遊技状況に応じて選択的に用いるものであればよい。
【０１９３】
前記第３実施例および第４実施例においては、前記音態様割振手段８６２および８６３によって選択される連続性を有する音態様を１０つの音態様すべてが報知された時に、繋がった新たな音態様として完結するものとしたが、本発明はこれに限定されるものでなく一例として、連続性を有する音態様が４つもしくは６つの音態様すべてが順に報知された時に、繋がった新たな音態様として完結するものとしてもよいし、これらに限定されるものではない。
【０１９４】
前記第４実施例においては前記音態様割振手段８６３においては前記第２種非電動役物１２ないし１５の前記左誘導部材および右誘導部材に誘導による遊技球の入賞に対しての音態様割振パターンを一例として３種類備えた構成としたが、本発明はこれに限定されるものでなく図１８（ａ）に示される音態様割振パターン１種類のみとする形態を採用することが出来る。
【０１９５】
前記第１実施例、第４実施例および第５実施例においては、一例として前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明はこれに限定されるものではなく、前記第１種非電動役物１０および１１、前記第２種非電動役物１２ないし１５および前記入賞口１６および１７の何れの組み合わせに対して共通の入賞検知スイッチを備えるかは、本発明の効果を実現するにあたり有効的に適宜選択できるものである。
【０１９６】
前記第１実施例、第４実施例および第５実施例においては、前記第２種非電動役物１２ないし１４の前記左誘導部材および右誘導部材に誘導されて入賞した遊技球を前記遊技盤１００の後方に形成された遊技球導出路において同一経路を通過するように構成して、該同一経路に前記入賞検知スイッチを配設したが、本発明を第２実施例、第３実施例および第６実施例に適用することができる。
【０１９７】
前記第１実施例ないし第６実施例のパチンコ遊技機において報知する音態様の連続性については、上述したように一例として連続性を有する「音態様（ア）→音態様（イ）」と、連続性を有しないちぐはぐな「音態様（ア）→音態様（ウ）」によって前記入賞装置への入賞順序の適否を報知する構成としたが、本発明はこれらに限定されるものでなく、適当なタイミングで報知されると連続性を有する「音態様（ア）→発生のタイミングが適当な音態様（イ）」に対して、音態様（イ）を報知するタイミングを前後にずらすことにより連続性を有しないちぐはぐな「音態様（ア）→発生のタイミングがずれた音態様（イ）」を備えることによって、前記入賞装置への入賞順序の適否を報知する形態を採用することが出来る。
【０１９８】
前記第２実施例ないし第４実施例のパチンコ遊技機においては報知する音態様を選択する音態様割振手段を図１３に示されるようにメイン制御基板に備えた構成としたが、音態様割振手段を音声制御基板に格納して、入賞検知スイッチ等の検知出力に従い音声制御基板においてメイン制御基板とは独立して報知する音態様を選択する構成とすることが出来る。
【０１９９】
前記第５実施例ないし第６実施例のパチンコ遊技機においては、前記第２種非電動役物の左誘導部材および右誘導部材に誘導されて入賞した場合に、該入賞が遊技者にとって有利となる入賞であった時に前記スピーカ９９によって報知する音態様を１種類の同一の音態様としたが、本発明はこれに限定されるものではなく第２実施例ないし第４実施例において記載したように、前記スピーカ９９によって報知する音態様を複数種類備え、該入賞が遊技者にとって有利となる入賞であった時に前記スピーカ９９によって報知される音態様が連続性を有する違和感のない音態様を形成するような形態を採用することが出来る。
【０２００】
前記第１実施例ないし第６実施例に記載したパチンコ遊技機においては、一例として前記スピーカ９９によって実現される音情報を用いての報知形態を採用したが、本発明はこれに限定されるものではなくＬＥＤ等を用いた光情報による報知形態、ソレノイドまたはモータを用いた報知役物による報知形態、またはおよび電気的駆動力を用いずに該報知役物を作動させることにより実現される報知形態等を本発明の効果を実現するにあたり有効的に適宜組み合わせることが出来るものである。
【０２０１】
前記第５実施例においては、前記入賞情報比較手段９１の比較結果に基づいて、前回の入賞に対する今回の入賞の順序が遊技者にとって有利な順序でないと判定した後においても、前記スピーカ９９による報知を行なう構成としたが、本発明はこれに限定されるものでなく一例として、前回の入賞に対する今回の入賞の順序が遊技者にとって有利な順序でないと判定した後においては、前記スピーカ９９による報知を行なわない形態を採用することが出来る。なお、前記スピーカ９９による報知を停止した後には、前記左ゲート３０、中ゲート３１または右ゲート３２への遊技球の進入を検知する等の一定条件を満たすと再び前記スピーカ９９による報知が開始される構成とする。
【０２０２】
前記第６実施例においては、前記判定手段９４の判定結果に基づいて、今回の入賞の順序が遊技者にとって有利な順序でないと判定した後においても、前記スピーカ９９による報知を行なう構成としたが、本発明はこれに限定されるものでなく一例として、今回の入賞の順序が遊技者にとって有利な順序でないと判定した後においては、前記スピーカ９９による報知を行なわない形態を採用することが出来る。なお、前記スピーカ９９による報知を停止した後には、前記左ゲート３０、中ゲート３１または右ゲート３２への遊技球の進入を検知する等の一定条件を満たすと再び前記スピーカ９９による報知が開始される構成とする。
【０２０３】
前記第１実施例ないし第６実施例に記載したパチンコ遊技機においては、入賞検知手段の検知出力に基づいて入賞装置への入賞順序の適否を報知する形態を採用したが、本発明はこれに限定されることなく、遊技球の入球しやすい拡開状態と、遊技球の入球しにくい閉鎖状態を備えた複数の入賞装置を有するとともに、遊技球が複数の進入穴へ進入した時および入賞装置へ入賞した時に、入賞装置の拡開状態と閉鎖状態とを変換する変換機構とを備え、遊技球の動きによって動く部材の動きにより作動するもしくは作動を停止するスピーカ等の音態様によって、入賞装置への入賞順序の適否を報知する形態を採用することが出来る。
【産業上の利用可能性】
【０２０４】
遊技球の入球しやすい拡開状態と、遊技球の入球しにくい閉鎖状態を備えた入賞装置を複数有するパチンコ遊技機において、複数の進入穴からの遊技球の進入および入賞装置への入賞を検知して、入賞装置の拡開状態と閉鎖状態とを変換する変換機構と、入賞装置への入賞を検知して、入賞情報を出力する入賞検知手段と、入賞検知手段の検知出力に基づき入賞順序の適否に基づく音態様によって報知する報知手段を備え、遊技者は報知された音態様により前記入賞装置への入賞順序の適否を知ることができるという用途に適用できる。
【図面の簡単な説明】
【０２０５】
【図１】本発明の第１実施例ないし第６実施例パチンコ遊技機を示す正面図である。
【図２】本第１実施例ないし第６実施例のパチンコ遊技機の遊技盤面を示す正面図である。
【図３】本第１実施例、第４実施例および第５実施例におけるパチンコ遊技機の遊技盤裏面に配設された、遊技球導出路、変換機構および入賞検知スイッチを示す裏面図である。
【図４】本第１実施例ないし第６実施例のパチンコ遊技機の第１種非電動役物および変換機構を示す部分拡大正面図および部分拡大斜視図である。
【図５】本第１実施例ないし第６実施例のパチンコ遊技機の第１種非電動役物および変換機構を示す部分拡大側面図および部分拡大正面図である。
【図６】本第１実施例ないし第６実施例のパチンコ遊技機の第２種非電動役物および変換機構を示す部分拡大正面図および部分拡大斜視図である。
【図７】本第１実施例ないし第６実施例のパチンコ遊技機の第２種非電動役物および変換機構を示す部分拡大側面図および部分拡大正面図である。
【図８】本第１実施例ないし第６実施例のパチンコ遊技機の第２種非電動役物および変換機構の要部を示す部分拡大正面図である。
【図９】本第１実施例ないし第６実施例のパチンコ遊技機の第２種非電動役物および変換機構の要部を示す部分拡大上面図である。
【図１０】本第１実施例ないし第６実施例のパチンコ遊技機の第２種非電動役物、左ゲート、中ゲート、右ゲート、下ゲートおよび変換機構の要部を示す部分拡大正面図および部分拡大断面図である。
【図１１】本第１実施例のパチンコ遊技機における報知する音態様を選択して報知するための制御ブロック図である。
【図１２】本第１実施例のパチンコ遊技機において、入賞検知スイッチと報知される音態様の対応関係を示す説明図である。
【図１３】本第２実施例および第３実施例のパチンコ遊技機における報知する音態様を選択して報知するための制御ブロック図である。
【図１４】本第２実施例の音態様割振手段により選択される音態様を示した説明図である。
【図１５】本第２実施例、第３実施例および第６実施例のパチンコ遊技機の遊技盤裏面に配設された、遊技球導出路、変換機構および入賞検知スイッチを示す裏面図である。
【図１６】本第３実施例の音態様割振手段により選択される音態様を示した説明図である。
【図１７】本第４実施例のパチンコ遊技機における報知する音態様を選択して報知するための制御ブロック図である。
【図１８】本第４実施例の音態様割振手段により選択される音態様を示した説明図である。
【図１９】本第５実施例のパチンコ遊技機における報知する音態様を選択して報知するための制御ブロック図である。
【図２０】本第５実施例のパチンコ遊技機において、入賞検知スイッチによる入賞情報の出力から報知する音態様を選択する際の流れを示すフローチャート図である。
【図２１】本第６実施例のパチンコ遊技機における報知する音態様を選択して報知するための制御ブロック図である。
【図２２】本第６実施例のパチンコ遊技機における、第２種非電動役物と開閉状態検知装置の位置関係を示す部分拡大側面図である。
【図２３】本第６実施例の入賞判定テーブルの詳細を示した説明図である。
【図２４】従来のパチンコ遊技機において、各役物装置と該各役物装置への入賞順序の適否に関係しない予め設定された効果音との対応関係を示した説明図。
【符号の説明】
【０２０６】
１  変換機構
２  入賞検知手段
９  報知手段
１０ないし１１  第１種非電動役物
１２ないし１５  第２種非電動役物
１０Ｔないし１５Ｔ  変換機構
１６ないし１７  入賞口
２０ないし２７および２９  入賞検知スイッチ
２８  ゲート進入検知スイッチ
３０  左ゲート
３１  中ゲート
３２  右ゲート
３３  下ゲート
４０および５０  左誘導部材
４１および５１  右誘導部材
４２および５２  ロック部材
４３および５３  第１のガイド部材
４４および５４  支持部材
４５および５５  第２のガイド部材
５６  連絡棒
５７  第１の左アーム
５８  第２の左アーム
５９  突出部材
８０  メイン制御基板
８１  ＣＰＵ
８２  ＲＯＭ
８３  ＲＡＭ
８４  音声制御基板
８５  払出制御基板
８６、８６２および８６３  音割振手段
９１  入賞情報比較手段
９２  開閉状態検知手段
９３  入賞判定テーブル
９４  判定手段
９９  スピーカ
１００  遊技盤
１１２ないし１１５  開閉状態検知装置
１２０  揺動部材
１２１  ローラ状部材
１２２  接点部材
ＣＬ  閉鎖落下点
ＯＰ  拡開落下点
【図１】
2010125076.tif 000003
【図２】
2010125076.tif 000004
【図３】
2010125076.tif 000005
【図４】
2010125076.tif 000006
【図５】
2010125076.tif 000007
【図６】
2010125076.tif 000008
【図７】
2010125076.tif 000009
【図８】
2010125076.tif 000010
【図９】
2010125076.tif 000011
【図１０】
2010125076.tif 000012
【図１１】
2010125076.tif 000013
【図１２】
2010125076.tif 000014
【図１３】
2010125076.tif 000015
【図１４】
2010125076.tif 000016
【図１５】
2010125076.tif 000017
【図１６】
2010125076.tif 000018
【図１７】
2010125076.tif 000019
【図１８】
2010125076.tif 000020
【図１９】
2010125076.tif 000021
【図２０】
2010125076.tif 000022
【図２１】
2010125076.tif 000023
【図２２】
2010125076.tif 000024
【図２３】
2010125076.tif 000025
【図２４】
2010125076.tif 000026